(57)【特許請求の範囲】
【請求項１】
ＡＴＭネットワーク内で使用するための交換装置において、
ＡＴＭセルを交換するためのスイッチ体、
ＡＴＭセルからパケットを再組立てするための再組立て手段、
交換装置に送信されたＡＴＭセルを受信するように接続され、また第１のデータ送達経路手段により前記スイッチ体へ接続され、そして第１のデータ送達経路手段とは分離した第２のデータ送達経路手段によって前記再組立て手段へ接続されており、さらに、そのデフォルトルーティングモードで、予め定めたデフォルト入力仮想チャネルを介し前記交換装置において受信されたインターネットプロトコルパケットに属する受信ＡＴＭセルを識別するように動作可能であると共にこのような識別されたセル以外の受信セルを、前記スイッチ体による交換のため前記第１のデータ送達経路手段を介して前記スイッチ体に送信するように動作可能であり、そして前記の識別されたセルを、再組立て手段によりパケットに再組立てするため、前記第２のデータ送達経路手段を介して、前記再組立て手段に送信するように動作可能であるトラフィック管理手段、および
前記交換装置を通るパケットフローを検出すべくかかる再組立て後のインターネットプロトコルパケットを検査するための前記再組立て手段と接続されたインターネットプロトコルスイッチ制御装置手段、を有し、
ここに前記トラフィック管理手段は、前記のパケットフローが前記インターネットプロトコルスイッチ制御装置手段によって検出されたときに、前記予め定められたデフォルト入力仮想チャネルとは異なる新しい入力仮想チャネルを介して前記の検出されたパケットフローを構成する後続パケットのセルが該トラフィック管理手段により受信され、前記再組立て手段には送信されることなく前記第１のデータ送達経路手段を介して前記スイッチ体に直接送信されるような、カットスルー交換モードにて動作するように、交換可能であり、
また前記パケットフローに属するものとして前記インターネットプロトコルスイッチ制御装置手段によって検出されない再組立てパケットが、複数のセルにセグメント化され、これらのセルは前記スイッチ体へ送信するために前記トラフィック管理手段に戻るように転送され、
さらに前記スイッチ体を通過した後、前記複数のセグメント化されたセルが、予め定められたデフォルト出力仮想チャネルを介して、前記ＡＴＭネットワークの下流ノードに出力される交換装置。
【請求項２】
前記交換装置の動作を制御するためのホスト手段であって、前記再組立て手段によって再組立てされたパケットをこの再組立て手段より受信するため前記再組立て手段に接続されているホスト手段をさらに含んでなる請求項１に記載の交換装置。
【請求項３】
前記第２のデータ送達経路手段によってまた前記トラフィック管理手段に接続されるセグメント化手段をさらに含み、このセグメント化手段は、前記交換装置内でローカルに生成されたパケットを、複数のＡＴＭセルへセグメント化し、前記複数のセルを、前記第２のデータ送達経路手段を介して該トラフィック管理手段へ送信するように動作可能である請求項１又は２に記載の交換装置。
【請求項４】
前記トラフィック管理手段には、前記スイッチ体によって形成されたデータ転送経路を介してＡＴＭセルを交換するための前記第１のデータ送達経路手段によって前記スイッチ体にそれぞれ接続されている複数の個別トラフィック管理デバイスが含まれており、そして前記第２のデータ送達経路手段は、前記再組立て手段に前記複数の個別トラフィック管理デバイスを共通に接続するバス手段からなる請求項１〜３のいずれか一項記載の交換装置。
【請求項５】
前記パケットフローに属するものとして前記インターネットプロトコルスイッチ制御装置手段によって検出されない再組立てパケットが、複数のセルにセグメント化され、これらのセルは前記スイッチ体へ送信するために前記トラフィック管理手段に戻るように転送され、
前記スイッチ体を通過した後、前記複数のセルが、予め定められたデフォルト出力仮想チャネルを介して、前記ＡＴＭネットワークの下流ノードに出力され、
前記カットスルー交換モードでの前記トラフィック管理手段の動作中に、前記の検出されたパケットフローを構成する前記後続パケットのセルが、前記予め定められたデフォルト出力仮想チャネルとは異なる新しい出力仮想チャネルを介して、前記トラフィック管理手段によって出力される請求項１〜４のいずれか一項記載の交換装置。
【請求項６】
かかるパケットフローを前記インターネットプロトコルスイッチ制御装置手段が検出したときに、前記トラフィック管理手段は、前記スイッチ体を介して検出されたパケットフローのセルを交換するための帯域幅を確保する請求項１〜５のいずれか一項記載の交換装置。
【請求項７】
ＡＴＭネットワーク内で使用するための交換装置において、
ＡＴＭセルを交換するためのスイッチ体、
前記交換装置を通るインターネットプロトコルフローを検出するためのインターネットプロトコルスイッチ制御装置手段であって、該インターネットプロトコルフローの各々は一連のインターネットプロトコルパケットからなり、各該インターネットプロトコルパケットは、複数のＡＴＭセルにセグメント化されているようなインターネットプロトコルスイッチ制御装置手段、および
前記交換装置に送達されたＡＴＭセルを受信するように接続され、また第１のデータ送達経路手段により前記スイッチ体にまた該第１のデータ送達経路手段とは分離した第２のデータ送達経路手段により前記インターネットプロトコルスイッチ制御装置手段に接続され、しかもそのデフォルトルーティグモードにおいてかかるフローに属するものとして検出されなかったインターネットプロトコルパケットを構成するような受信ＡＴＭセルをデフォルトルーティングセルとして識別し、これらのセルを前記第２のデータ送達経路手段を介して前記インターネットプロトコルスイッチ制御装置手段に送信するように動作可能であるトラフィック管理手段、
を含んでなり、ここに
前記インターネットプロトコルスイッチ制御装置手段は、前記トラフィック管理手段によって送信された前記デフォルトルーティングセルをインターネットプロトコルパケットに再組立て可能であり、かつ該インターネットプロトコルスイッチ制御装置手段は、該再組立てパケットを検査することによってかかるパケットフローを検出可能であり、
前記トラフィック管理手段はまた、かかるパケットフローに属するパケットを構成するような前記の受信されたＡＴＭセルが前記第１のデータ送達経路手段を介して前記スイッチ体に直接送信されるカットスルー交換モードでも動作可能であり、
また前記パケットフローに属するものとして前記インターネットプロトコルスイッチ制御装置手段によって検出されない再組立てパケットが、複数のセルにセグメント化され、これらのセルは前記スイッチ体へ送信するために前記トラフィック管理手段に戻るように転送され、
さらに前記スイッチ体を通過した後、前記複数のセグメント化されたセルが、予め定められたデフォルト出力仮想チャネルを介して、前記ＡＴＭネットワークの下流ノードに出力される交換装置。
【請求項８】
前記トラフィック管理手段は、
前記デフォルトルーティングモードにおいてデフォルト入力仮想チャネルを介してパケットを構成するセルを受信するように機能し、
それらのパケットがかかるパケットフローを構成することを前記インターネットプロトコルスイッチ制御装置手段が検出したとき、該デフォルトルーティングモードから前記カットスルー交換モードへと切り換えることができ、
前記カットスルー交換モードにおいて、前記トラフィック管理手段は、前記デフォルト入力仮想チャネルとは異なるもう１つの入力仮想チャネルを介して前記の検出されたパケットフローの後続パケットを構成するセルを受信するように機能する請求項７記載の交換装置。
【発明の詳細な説明】
【０００１】
【発明の属する技術分野】
本発明は、非同期転送モード（ＡＴＭ）交換装置内でのセグメント化−および−再組立て（ＳＡＲ：ｓｅｇｍｅｎｔａｔｉｏｎ−ａｎｄ−ｒｅａｓｓｅｍｂｌｙ）デバイスに対するインターフェイシングに関する。
【０００２】
【従来の技術】
添付図面の図１は、ＡＴＭ通信ネットワーク内で使用するための従来の交換装置の各部分を示す。図１の装置は、複数Ｎ−１の物理レイヤデバイス２1 ，２2 …２N-1 および対応する複数Ｎ−１のトラフィック管理デバイス４1 ，４2 …４N-1 を含んでなる。各々のトラフィック管理デバイス４i は、双方向データ送達経路６i によってその対応する物理レイヤデバイス２i に接続されている。
【０００３】
図１の装置はまた、例えばＮ×Ｎのクロス−コネクト交換ユニットであるスイッチ体８をも含んでいる。実際にスイッチ体８は、Ｎ個の入力ポートとＮ個の出力ポートを有する。各々のトラフィック管理デバイス４i は、双方向データ送達経路１０i によって、１つの入力ポートおよび１つの出力ポートからなる１つのポート対に接続される。したがって、簡略化のために、図１にはポート対のみが示されている。
【０００４】
図１の装置はまた、双方向データ送達経路１０N によりスイッチ体８のポート対Ｎに接続されているセグメント化−および−再組立て（ＳＡＲ）デバイス１２も含んでいる。このＳＡＲデバイス１２はというと、付随するメモリ１４に接続されている。最後に、装置１は、トラフィック管理デバイス４1 〜４N-1 の各々とメモリが１４とに接続されたホストプロセッサ（またはスイッチ制御装置）１６を含む。
【０００５】
図１の装置の使用において、物理レイヤデバイス２1 〜２N-1 は、装置１に対し、物理レイヤ伝送ラインに接続されている複数の双方向ポート（ユーザーネットワークインタフェースまたはＵＮＩポート）を提供する。これらの物理レイヤ伝送ラインは、例えば、同期デジタルハイアラーキ（ＳＤＨ）または同期光通信網（ＳＯＮＥＴ）伝送ライン（ＩＴＵ−Ｔ規格Ｇ．７０９）、プレシオクロナスデジタルハイアラーキ（ＰＤＨ）伝送ライン（ＩＴＵ−Ｔ  Ｇ．７０３規格）、またはファイバ分布データインタフェース（ＦＤＤＩ）伝送ライン（ＡＴＭフォーラムにより規定された４ｂ／５ｂ規格）であってよい。ＡＴＭネットワーク内では、これらの伝送ラインは、関係する伝送ラインを提供するのに用いられる特定の物理媒体に応じたフォーマットをもつビットストリーム形式でＡＴＭセルを伝送する。データ受信方向（セルが交換装置内に受入れられる方向）において、物理レイヤデバイス２1 〜２N-1 は、装置のＵＮＩポートで受信されたビットストリームを、それぞれのデータ送達経路６1 〜６N-1 を介してトラフィック管理デバイス４1 〜４N-1 に送達されるＡＴＭセルのストリームへと変換する。
【０００６】
トラフィック管理デバイス４1 〜４N-1 は、スイッチ体８へのＡＴＭセルの送信を制御する。スイッチ体８は、その入力ポートのうちの選択されたものから、その出力ポートのうちの選択されたものへのデータ輸送を可能にするのに各々役立つ最高Ｎ本の同時データ転送経路を提供することができる。トラフィック管理デバイスは、ＡＴＭセルを同期的にイクスチェンジ（交換）するためにこれらのデータ転送経路を使用する。イクスチェンジプロセスの全体的な制御は、通常、トラフィックフロー条件を監視し、装置の中を通る異なるセルフローの間での交換資源の公平な割当てを提供する目的で、連続するタイムスロット内のデータ転送経路を選択するホストプロセッサ１６によって実行される。
【０００７】
トラフィック管理デバイス４は、スイッチ体により提供されるデータ転送経路の１つを通してＡＴＭセルを受信した後、そのセルをデータ送達経路６を介してその対応する物理レイヤデバイスに転送する。各物理レイヤデバイス２は、それが受信したＡＴＭセルのストリームを、当該物理レイヤデバイスのＵＮＩポートに接続されたＡＴＭ伝送ライン上の伝送に適したビットストリームへと変換する。
【０００８】
図１の装置が使用されるＡＴＭネットワークでは、伝送されるＡＴＭセルトラフィックの全てとはいわないまでも大部分が、音声信号、ビデオ信号、ファイル等のいずれを表すにせよ、ユーザデータである。しかしながら、ネットワークにより伝送されるトラフィックの中には、不可避的に、シグナリングメッセージといったような制御情報を含んでいるものもある。このようなシグナリングメッセージは、例えば呼出を設定するために必要とされる。さらに、いわゆる「ホスト間通信メッセージ」を用いて、ＡＴＭネットワーク（図１に示されているホストプロセッサ１６を含む）の異なるノードにおいてホストプロセッサが互いにやりとりすることが必要とされることもある。
【０００９】
シグナリングメッセージおよびホスト間通信メッセージは、普通のデータトラフィックと全く同じようにＡＴＭセルの形でＡＴＭネットワーク内を転送される。ただし、このようなメッセージを構成するセルは、通常各セルのヘッダ内に含まれている仮想パス識別子（ＶＰＩ）および仮想チャネル識別子（ＶＣＩ）情報によって、データを表すセルとは、ある意味で区別される。シグナリングメッセージおよびホスト間通信メッセージは一般に、単一のＡＴＭセルのペイロード内に収まるには長過ぎる。したがって、このような各メッセージの発信元において、該メッセージは複数のＡＴＭセルに変換され、これらのセルは次にネットワーク内に連続的に送り込まれる。このプロセスは、セグメント化と呼ばれる。メッセージの着信先にて、そして場合によっては当該メッセージに対しアクセスすることが望まれるＡＴＭネットワークの任意の中間ノードにて、そのメッセージを構成するＡＴＭセルは、再組立てと呼ばれるプロセスの中で組合わされてもとのメッセージを再生する。図１に示されている交換装置においては、これらのセグメント化および再組立てプロセスは、従来スイッチ体８の独自の専用ポート対（図１内のポートＮ）を備えるセグメント化および再組立て（ＳＡＲ：ｓｅｇｍｅｎｔａｔｉｏｎ−ａｎｄ−ｒｅａｓｓｅｍｂｌｙ）デバイス１２によって実施される。したがって、それがシグナリングメッセージまたはホスト間通信メッセージに属することをそのＶＰＩ／ＶＣＩフィールドにて表示しているＡＴＭセルが、トラフィック管理デバイス４の１つ（「ソース」トラフィック管理デバイス）によって受信されたという情報をホストコンピュータ１６が受けたときに、ホストプロセッサ１６は、ソーストラフィック管理デバイスが接続されているスイッチ体８の入力ポート（例えば、トラフィック管理デバイス４1 の場合の入力ポート１）から、スイッチ体８の出力ポートＮまでデータ転送経路を形成させ、かくして当該セルはソーストラフィック管理デバイスからＳＡＲデバイス１２まで送信され得るようになる。このときＳＡＲデバイス１２は、メモリ１４を用いて、このセルを、同じメッセージに属するその他のセルと組合わせ、ひとたびそのメッセージについての再組立てプロセスが完了すると、ホストプロセッサ１６によりメッセージを読み取ることが可能となる。
【００１０】
ホストプロセッサ１６がシグナリングメッセージまたはホスト間通信メッセージの発信元である場合、これはそのメッセージをメモリ１４に送信し、ＳＡＲデバイス１２は次にメッセージをセグメント化して、複数のＡＴＭセルを生成する。これらのセルは次に、メッセージの着信先に到達するようセルがそれを通ってルーティングされなくてはならない伝送ラインに、その対応する物理レイヤデバイスが接続されているトラフィック管理デバイスであるようなトラフィック管理デバイスのうちの１つ（「デスティネーション」トラフィック管理デバイス）に連続的に転送される。ホストプロセッサ１６の制御のもとで、スイッチ体８の入力ポートＮからデスティネーション（宛先）トラフィック管理デバイスが接続されているスイッチ体の出力ポートまで、メッセージの連続する各セルについて、１つのデータ転送経路が提供される。このデスティネーショントラフィック管理デバイス４に到達した後、セルは次にデータ送達経路６を介して対応する物理レイヤデバイス２まで渡され、メッセージの着信先へさらに伝送するためＵＮＩポートの１つを通して、要求された伝送ラインへと出力される。
【００１１】
【発明が解決しようとする課題】
図１の装置において、ＳＡＲデバイス１２には、スイッチ体上で独自の専用ポート対（ポートＮ）が具備されており、したがってシグナリングメッセージおよびホスト間通信メッセージは全てスイッチ体８を通過する。このようなメッセージに関与するＡＴＭセルの数は、スイッチ体を通るＡＴＭセルの合計数に比べて比較的少ないものの、シグナリングおよびホスト間通信メッセージを構成するＡＴＭセルをスイッチ体の中に通す必要性は、不可避的にスイッチ体内の輻輳を招き、ユーザーデータを表すＡＴＭセルを交換する機会の数を少なくする。その上、スイッチ体のポート対の１つがＳＡＲデバイス１２専用でなくてはならないことから、トラフィック管理デバイスとの接続に利用できるポート対の数は１つ減る。このことは究極的に、全体として交換装置のＵＮＩポートの数を制限する。
【００１２】
したがって本発明は、上記問題を解決することのできる、ＡＴＭネットワークにおける、交換装置、トラフィック管理デバイスおよび交換方法を提供することを目的とするものである。
【００１３】
【課題を解決するための手段】
本発明の第１の形態によると、ＡＴＭネットワーク内で使用するための交換装置において、ＡＴＭセルを交換するためのスイッチ体；ＡＴＭセルからのパケットを再組立てするための再組立て手段、および、交換装置に送信されたＡＴＭセルを受信するように接続され、また第１のデータ送達経路手段により前記スイッチ体へそして第１のデータ送達経路手段とは分離した第２のデータ送達経路手段によって、前記再組立て手段へ接続されており、さらに、再組立て手段による再組立てを必要とする１または複数の予め定められたパケットタイプに属する受信ＡＴＭセルをそれぞれの再組立てセルとして識別するように作動可能であると共に、このような識別された再組立てセル以外の受信セルを、また前記スイッチ体による交換のため前記第１のデータ送達経路手段を介してスイッチ体に対し送信するように作動可能であり、そして前記再組立てセルを、再組立て手段によりパケットに再組立てするため前記第２のデータ送達経路手段を介して前記再組立て手段に送信するように作動可能であるトラフィック管理手段；を含んでなる交換装置が提供されている。
【００１４】
本発明の第２の形態によると、ＡＴＭ交換装置に送信されたＡＴＭセルを交換するためのスイッチ体を有し、またＡＴＭ交換装置に送信されたＡＴＭセルからパケットを再組立てするための再組立て手段をも有する該ＡＴＭ交換装置内で使用するためのトラフィック管理デバイスにおいて、ＡＴＭセルを受信するためのセル受信手段；前記セル受信手段に接続され、ＡＴＭ交換装置の前記再組立て手段による再組立てを必要とする１または複数の予め定められたパケットタイプに属するような受信セルをそれぞれの再組立てセルとして識別するように作動するセル識別手段；およびデバイスが使用中であるときに前記スイッチ体に接続するように適合されている第１のポート手段をもち、またデバイスが使用中であるときに前記再組立て手段に接続するよう適合されている、前記第１のポート手段とは分離した第２のポート手段を有し、識別された再組立てセル以外の受信セルを前記第１のポート手段に送信し、前記再組立てセルを前記第２のポート手段に送信するように作動可能である、セル出力手段、を含んでなるトラフィック管理デバイスが提供されている。
【００１５】
本発明の第３の形態によると、ＡＴＭセルを交換するためのスイッチ体、ＡＴＭセルからパケットを再組立てするための再組立て手段およびＡＴＭネットワーク交換装置に送信されたＡＴＭセルを受信するためのトラフィック管理手段を含む該ＡＴＭネットワーク交換装置内で使用するための交換方法において、再組立て手段による再組立てを必要とする１または複数の予め定められたパケットタイプに属するような受信ＡＴＭセルが、それぞれの再組立てセルとしてトラフィック管理手段によって識別され；そしてかかる識別された再組立てセル以外の受信セルがトラフィック管理手段によって第１のデータ送達経路手段を介してスイッチ体に送信され、スイッチ体により交換され、識別された再組立てセルは、第１のデータ送達経路手段とは分離した第２のデータ送達経路手段を介して、トラフィック管理手段から再組立て手段まで送信され、再組立て手段によりパケットに再組立てされる、交換方法が提供されている。
【００１６】
本発明の第１から第３の形態においては、再組立てを必要とするセルは、スイッチ体の中を通ることなく再組立て手段に直接送ることができる。したがって、スイッチ体のスイッチポートは全て、非再組立てセルを交換するために、トラフィック管理手段による使用が可能である。したがって、スイッチスループットは増大し交換装置内での回線争奪の問題も軽減される。
【００１７】
再組立てを必要とするパケットは、例えば、シグナリングメッセージ（特にＡＡＬ５メッセージ）またはホスト間通信メッセージ（特にＡＴＭユーザ・ネットワークインタフェース（ＵＮＩ）管理エンティティの間の中間ローカル管理インタフェース（ＩＬＭＩ）通信）であってよい。
再組立てを必要とするパケットにはまた、インターネットプロトコルパケットが含まれる。この場合、装置に好ましくはさらに、交換装置を通るパケットフローを検出すべく、このような再組立てされたインターネットプロトコルパケットを検査するため前記再組立て手段と接続されたインターネットプロトコルスイッチ制御装置手段も含んでいる。このとき、トラフィック管理手段は、インターネットプロトコルスイッチ制御装置手段により必要とされるセルを、スイッチ体の中に通すことなく直接この手段に送ることができる。
好ましくは、トラフィック管理手段は、そのデフォルトルーティングモードで、予め定められたデフォルト入力仮想チャネルを介してＡＴＭネットワークの上流ノードからのインターネットプロトコルパケットを受信し、前記予め定められたデフォルト入力仮想チャネルに属する受信ＡＴＭセルをこのような再組立てセルとして識別し、前記インターネットプロトコルスイッチ制御装置手段が、再組立てされたパケットの検査によりパケットフローを検出できるようにすべく前記再組立て手段に対し前記第２のデータ送達経路手段を介してこれらのセルを送信するように作動可能である。
【００１８】
トラフィック管理手段はまたこのようなパケットフローが前記インターネットプロトコルスイッチ制御装置手段によって検出されたときに、前記予め定められたデフォルト入力仮想チャネルとは異なる新しい入力仮想チャネルを介してトラフィック管理手段により、検出後のパケットフローを構成する後続パケットのセルが受信され、かかる再組立てセルとしてこれらのセルが識別されず、前記第１のデータ送達経路手段を介してスイッチ体に対し直接送信される、カットスルー交換モードにて作動するように交換が可能である。
【００１９】
このようにして、検出されたフローに属するセルは、フローのうちのセルが直接ハードウェア内にルーティングされるいわゆるカットスルー交換を実現すべく、インターネットプロトコルスイッチ制御装置手段により交換装置内で再組立てされることなく交換装置を通ってルーティングされ得る。例えば、前記インターネットプロトコルスイッチ制御装置手段がかかるパケットフローを検出したときは、トラフィック管理手段は、前記スイッチ体を介して検出されたパケットフローのセルを交換するための帯域幅を確保させられる。
【００２０】
好ましくは、前記インターネットプロトコルスイッチ制御装置手段によってパケットフローに属するものとして検出されず再組立てされたパケットは、フローに属さないＩＰパケットの蓄積交換ルーティングを実行すべく、前記スイッチ体への送信のためトラフィック管理手段に戻すように転送される複数のセルに、セグメント化される。前記スイッチ体を通過した後、前記複数のうちのセルは次に、予め定められたデフォルト出力仮想チャネルを介してＡＴＭネットワークの下流ノードに出力され得る。一方、トラフィック管理手段が前記カットスルー交換モードで作動している間、検出されたパケットフローを構成する前記後続パケットのセルは、好ましくは、前記予め定められたデフォルト出力仮想チャネルとは異なる新しい出力仮想チャネルを介してトラフィック管理手段によって出力される。
【００２１】
１つの実施例においては、前記トラフィック管理手段には、各受信ＡＴＭセルのヘッダの仮想パス識別子および／または仮想チャネル識別子フィールドを検査し、かかる検査の結果に基づいて当該セルがこのような再組立てセルとして識別されるべきか否かを決定すべく作動可能なセル識別手段が含まれている。こうして、再組立てセルを迅速かつ容易に識別することが可能となっている。
【００２２】
好ましくは、装置にはさらに、セグメント化手段（セグメント化手段および再組立て手段は、同一のセグメント化および再組立てデバイスの一部をなす）が含まれ、このセグメント化手段はまた前記第２のデータ送達経路手段によって前記トラフィック管理手段に接続され、装置内でローカルに生成されたパケットを複数のＡＴＭセルへセグメント化し、前記第２のデータ送達経路手段を介してトラフィック管理手段へ前記複数のうちのセルを送信するように作動可能である。この構成において、セグメント化の結果として得られるセルはまた、スイッチ体を通過することなくトラフィック管理手段に送信され得る。
【００２３】
この場合、第２のデータ送達経路手段にはそれぞれの単方向送信受信経路手段が含まれ、その受信経路手段はトラフィック管理手段から再組立て手段まで、識別された再組立てセルを送信するように機能し、その送信経路手段は、前記セグメント化手段からトラフィック管理手段まで前記複数のうちのセルを送信するように機能する。
【００２４】
好ましい実施例では、前記トラフィック管理手段には、スイッチ体によって提供されたデータ転送経路を介してＡＴＭセルを交換するため前記第１のデータ送達経路手段により前記スイッチ体にそれぞれ接続されている複数の個別トラフィック管理デバイスが含まれており、前記第２のデータ送達経路手段には、再組立て手段に対し、そして具備されている場合には前記セグメント化手段に対して、個別トラフィック管理デバイスを共通に接続するバス手段（例えば、Ｕｎｉｖｅｒｓａｌ−Ｔｅｓｔ−ａｎｄ−Ｏｐｅｒａｔｉｏｎｓ−ＰＨＹ−Ｉｎｔｅｒｆａｃｅ−ｆｏｒ−ＡＴＭ（ＵＴＯＰＩＡ）レベル２「ルックアライク（ｌｏｏｋａｌｉｋｅ）」バス手段）が含まれている。この構成では、各トラフィック管理デバイスは、スイッチ体の１または複数の付随する入力ポートに対するセルの送信を制御し、各トラフィック管理デバイスは、バス手段を用いて再組立て手段に直接、任意の再組立てセルを送ることができる。
【００２５】
異なるトラフィック管理デバイスがバス手段を共有できるようにするためには、前記再組立て手段が前記バス手段のマスターデバイスとして作動可能であり、各トラフィック管理デバイスがこのバス手段のスレーブデバイスとして作動可能であることが好ましい。この場合、例えば前記再組立て手段には、トラフィック管理デバイスのいずれかが受信したＡＴＭセルをそのような再組立てセルとして識別したか否かを決定すべく、該トラフィック管理デバイスをポーリングするためのポーリング手段および前記トラフィック管理デバイスのうちの１つがそのような再組立てセルを識別したことを前記ポーリング手段が決定した場合に、そのセルを有するトラフィック管理デバイスが前記バス手段を介して再組立て手段にそれを送信するようにさせるべく作動可能なデータ読取り手段、が含まれている。
【００２６】
本発明の第４の形態によると、ＡＴＭネットワーク内で使用するための交換装置において：ＡＴＭセルを交換するためのスイッチ体；交換装置内でローカルに生成されたパケットを複数のＡＴＭセルにセグメント化するためのセグメント化手段；および第１のデータ送達経路手段により前記スイッチ体に接続され、またこの第１のデータ送達経路手段とは分離した第２のデータ送達経路手段によって、前記セグメント化手段に接続され、しかも、スイッチ体によって交換されたセルを前記第１のデータ送達経路手段を介してスイッチ体から受信しかつ前記複数のセルを前記第２のデータ送達経路手段を介してセグメント化手段から受信し、スイッチ体から受信した交換後のセルおよびセグメント化手段から受信した前記複数のセルを含むＡＴＭセルストリームを出力するように作動するトラフィック管理手段、を含んでなる交換装置が提供されている。
【００２７】
本発明の第５の実施形態によると、ＡＴＭ交換装置に送達されたＡＴＭセルを交換するためのスイッチ体を有し、またＡＴＭ交換装置から出力されるべき複数のＡＴＭセルへと、装置によってローカルに生成されたパケットを、セグメント化するためのセグメント化手段も有するＡＴＭ交換装置の中で使用するためのトラフィック管理デバイスにおいて、デバイスが使用中であるとき前記スイッチ体に接続するように適合された第１のポート手段をもち、またデバイスが使用中であるとき前記セグメント化手段に接続するように適合された、前記第１のポート手段とは分離した第２のポート手段をも有し、しかも、スイッチ体によって交換されたセルを前記第１のポート手段で受信し前記複数のセルを前記第２のポート手段で受信するように作動可能であるセル入力手段；およびスイッチ体から受信された交換後のセルを含み、また前記複数のセルをも含むＡＴＭセルストリームを出力するためのセル出力手段を含んでなるトラフィック管理デバイスが提供されている。
【００２８】
本発明の第６の形態によると、ＡＴＭセルを交換するためのスイッチ体、ＡＴＭ交換装置内でローカルに生成されたパケットを複数のＡＴＭセルにセグメント化するためのセグメント化手段および、交換されたセルを出力するためのトラフィック管理手段を含む該ＡＴＭネットワーク交換装置内で使用される交換方法において：
スイッチ体によって交換されたセルが、第１のデータ送達経路手段を介してスイッチ体からトラフィック管理手段によって受信され；セグメント化手段によって生成された複数のセルが、前記第１のデータ送達経路手段とは分離した第２のデータ送達経路手段を介してトラフィック管理手段によって受信され；スイッチ体から受信された交換後のセルおよびセグメント化手段から受信された前記複数のセルを含むＡＴＭセルストリームが、トラフィック管理手段によって出力される、交換方法が提供されている。
【００２９】
本発明の第４〜第６の形態においては、本発明の第１〜第３の形態により達成された利点に対応する利点が、交換装置が再組立て手段をもたない場合でさえ得ることができる。セグメント化の結果として得られたセルは、スイッチ体を通過することなくトラフィック管理手段に対し直接転送され得、非セグメント化セルのためのスイッチ体のスイッチポートを解放し、輻輳を軽減する。
【００３０】
本発明の第７の形態によると、ＡＴＭネットワーク内で使用するための交換装置において：ＡＴＭセルを交換するためのスイッチ体；交換装置を通るインターネットプロトコルフローを検出するためのインターネットプロトコルスイッチ制御装置手段；および該交換装置に送信されたＡＴＭセルを受信するために接続され、また第１のデータ送達経路手段により前記スイッチ体にまた第１のデータ送達経路手段とは分離した第２のデータ送達経路手段により前記インターネットプロトコルスイッチ制御装置手段に接続され、しかもそのデフォルトルーティングモードにおいて、予め定められたデフォルト入力仮想チャネルに属する受信ＡＴＭセルをデフォルトルーティングセルとして識別し、前記第２のデータ送達経路手段を介して前記インターネットプロトコルスイッチ制御装置手段にこれらのセルを送信して、前記インターネットプロトコルスイッチ制御装置手段が送信されたセルの検査からかかるフローを検出できるようにすべく作動可能であり、しかもこのようなフローが前記インターネットプロトコルスイッチ制御装置手段によって検出されたときに、前記予め定められたデフォルト入力仮想チャネルとは異なる新しい入力仮想チャネルを介してトラフィック管理手段により検出されたフローを構成する後続して受信されたセルが受信されかかるデフォルトルーティングセルとしてこれらのセルが識別されず前記第１のデータ送達経路手段を介してスイッチ体に直接送信されるようなカットスルー交換モードにて作動するように交換が可能であるトラフィック管理手段を含んでなる交換装置が提供される。
【００３１】
本発明の第８の実施形態によると、装置に送信されたＡＴＭセルを交換するためのスイッチ体を有しまた交換装置を通るインターネットプロトコルフローを検出するためのインターネットプロトコルスイッチ制御装置手段をも有するＡＴＭ交換装置内で使用するためのトラフィック管理デバイスにおいて：ＡＴＭセルを受信するためのセル受信手段；デバイスが使用中であるときに前記スイッチ体に接続するように適合されている第１のポート手段をもち、またデバイスが使用中であるときに前記インターネットプロトコルスイッチ制御装置手段に接続するよう適合されている、前記第１のポート手段とは分離した第２のポート手段を有するセル出力手段；および前記セル受信手段に接続され、そのデフォルトルーティングモードにおいて、予め定められたデフォルト入力仮想チャネルに属するような受信ＡＴＭセルをデフォルトルーティングセルとして識別しかつ前記インターネットプロトコルスイッチ制御装置への転送のため前記第２のポート手段にこれらのセルを送信して前記インターネットプロトコルスイッチ制御装置手段が送信されたセルの検査によりかかるフローを検出できるようにすべく作動可能であり、しかもこのようなフローが前記インターネットプロトコルスイッチ制御装置手段によって検出された時点で、前記予め定められたデフォルト入力仮想チャネルとは異なる新しい入力仮想チャネルを介してトラフィック管理デバイスにより検出されたフローを構成する後続して受信されたセルが受理されかかるデフォルトルーティングセルとしてこれらのセルが識別されずスイッチ体に対する直接的転送のため第１のポート手段に送信されるようなカットスルー交換モードにて作動するように、交換が可能であるセル識別手段を含んでなるトラフィック管理デバイスが提供される。
【００３２】
本発明の第７および第８の形態においては、インターネットプロトコルスイッチ制御装置手段が、トラフィック管理手段から受信された識別後のデフォルトルーティングセルを再組立てするための再組立て手段をもつことは不要である。
ここで、例として、添付図面を参照する。
【００３３】
【発明の実施の形態】
図２は、本発明を実施するＡＴＭ交換装置の各部分を示す。図２では、図１を参照して前述した各部分に対応する部分が同じ参照番号で表されている。
図２の交換装置２１では、各々のトラフィック管理デバイス２４1 〜２４N は、図１において述べたトラフィック管理デバイス４1 〜４N-1 に比べて修正されている。図１の装置と同様に、各々のトラフィック管理デバイス２４i はデータ送達経路６i （ｉ＝１〜Ｎ）を用いてその対応する物理レイヤデバイス２i に接続される。各々のデータ送達経路６i は、最高６２２Mbps（クロック周波数≦５０MHz ）でのデータ転送のための１６ビットのデータ経路を各方向に提供するＵｎｉｖｅｒｓａｌ  Ｔｅｓｔ  ａｎｄ  Ｏｐｅｒａｔｉｏｎｓ  ＰＨＹインタフェース（ＵＴＯＰＩＡ）レベル２である。したがって、各々の物理レイヤデバイス２および各々のトラフィック管理デバイス４は２つのポート（１つは送信、もう１つは受信用）をもち、両方のポート共、同じプロトコルおよびインタフェース定義を使用する。
【００３４】
簡略化のため、図２では各々のトラフィック管理デバイス２４i に接続された状態で１つの物理レイヤデバイス２i だけが示されているが、ＵＴＯＰＩＡレベル２経路６i は実際には、ＡＴＭレイヤが１５５Mbpsで作動する場合にはｎ≦８，ＡＴＭレイヤが６２２Mbpsで作動する場合にはｎ≦４として、各トラフィック管理デバイスに対し最高ｎ個の物理レイヤデバイスの接続を可能にする。ＵＴＯＰＩＡレベル２のインタフェースは、５つのアドレッシングラインを含み、かくして最高８個の物理レイヤデバイス上で最高３１のポートについての仮想空間を提供する。
【００３５】
ＵＴＯＰＩＡレベル２インタフェースのさらに完全な記述は、ＡＴＭ  Ｆｏｒｕｍが刊行した「ＵＴＯＰＩＡ」，ＡＴＭ−ＰＨＹインタフェース仕様書、レベル２、バージョン１．０″，１９９５年６月、に見出すことができる。
各トラフィック管理デバイス２４i はまた、データ送達経路１０i によって、入力ポートおよび出力ポートからなるスイッチ体８のポート対に接続される。データ送達経路１０i は、並列または直列の適切なあらゆるタイプのものであってよいが、当該実施例においては、トラフィック管理デバイス２４i において具備されたデータ送達経路１０i に対するインタフェースは、ＵＴＯＰＩＡレベル２「ルックアライク（ｌｏｏｋａｌｉｋｅ）」（ＵＬ２ＬＡＬ）インタフェースである。これは基本的に、ＡＴＭ  Ｆｏｒｕｍにより公表された上述のＵＴＯＰＩＡレベル２標準インタフェースと同じ特性を有するが、ＵＴＯＰＩＡ標準インタフェースは物理レイヤデバイスに対しＡＴＭレイヤデバイス（例えばトラフィック管理デバイス）に接続するように意図されているのであって、トラフィック管理デバイスやスイッチ体といったような２つのＡＴＭレイヤデバイス間の接続を提供することを目的としていないため、標準インタフェースの「ルックアライク（類似した）」インタフェースであるものとして記述されている。
【００３６】
また、データ送達経路１０i が並列／直列コンバータを含み、かくして経路がトラフィック管理デバイス２４i に接続された端部では並列となるようにそしてスイッチ体に接続された端部では直列となるようにすることも可能である。こうして、スイッチ体８上の接続ピンの数を、本出願人の同時係属英国特許出願第９６１７１１０．３号に記述されているように減少させることが可能となる。代替的または付加的に、ここでもまた、当該出願人の同時係属出願番号第９６１７１１０．３号に記述されているように、スイッチ体８上に必要とされる接続ピンの数を減少させる目的で、時分割多重化ベースで同じポート対に複数のトラフィック管理デバイスを接続することができる。この出願および当該出願人のもう１つの同時係属英国特許出願第９６１７１００．４号の内容は、本明細書に参考として含まれている。
【００３７】
各トラフィック管理デバイス２４i はまた、ホストバス２８を介してホストプロセッサ１６に接続される。ホストバスは例えば、Ｎ個の異なるトラフィック管理デバイス２４1 〜２４N を個々にアドレス（ポーリング）するのに充分な数のアドレスラインを備えた双方向３２ビット幅のデータ経路である。
図２に示されている交換装置２１は、まず第１に、以下ＳＡＲバスと呼ぶもう１本のバス２６が、“セグメント化および再組立て”（ＳＡＲ）デバイス１２へ各トラフィック管理デバイス２４1 〜２４N を接続するために具備されているという事実によって、図１に示されている交換装置１とは異なっている。したがって、図１の交換装置の場合とは異なり、ＳＡＲデバイス１２は、スイッチ体８のポート対の１つに接続されていない。ＳＡＲバス２６は、好ましくは１／２幅（各方向に８ビットのデータ）のＵＬ２ＬＡＬインタフェースである。この場合、ＳＡＲデバイス１２は、ＳＡＲバス２６に対する制御を有するマスターデバイスであり、各々のトラフィック管理デバイス２４1 〜２４N はスレーブデバイスである。あるいは、ＳＡＲバス２６は、トラフィック管理デバイス２４およびＳＡＲデバイス１２のピン数（ｐｉｎ  ｃｏｕｎｔ）を減少させるために、高速直列バスであってもよい。第２のバスは、低圧差信号（ＬＶＤＳ：Ｌｏｗ  Ｖｏｌｔａｇｅ  Ｄｉｆｆｅｒｅｎｔｉａｌ  Ｓｉｇｎａｌｓ）を転送するのに用いることができる。
【００３８】
ＳＡＲデバイス１２は、例えば、出願人が製造しているＭＢ８６６８７Ａタイプであってもよい。
ここで図２の装置の動作について記述する。ただし、装置の詳細な説明について記述する前に、図２の交換装置を使用することのできる広帯域デジタル統合サービス網（Ｂ−ＩＳＤＮ）について図３を参照しながら概略的に説明しておく。図２の交換装置がＢ−ＩＳＤＮ内での使用にだけ供されるものではなく、Ｂ−ＩＳＤＮには本発明の実施例が実際に取り扱おうとしている種類の多数のシグナリングメッセージ（およびホスト間通信メッセージ）を発生させるコネクション型通信プロトコルを含むことから、説明を目的とした好例を提供するのにＢ−ＩＳＤＮが役立つということも理解できるであろう。しかしながら、ＡＴＭネットワーク内で使用される全ての通信プロトコルには、コネクションレス型プロトコルさえも、そして不可避的にシグナリングメッセージの生成および処理も含み、本発明の実施例はこのようなネットワーク全てに有利に適用できる。
【００３９】
図３に示されているＢ−ＩＳＤＮネットワーク１００は、異なる顧客宅内にそれぞれ対応する複数の顧客宅内（ＣＰ：Ｃｕｓｔｏｍｅｒ  ｐｒｅｍｉｓｅｓ）ノード１０２をもつ。各ＣＰノードにおいて、ユーザが供給する任意にフォーマットされた情報はＡＴＭセルストリームへと変換され、逆方向より、ネットワークから受信されたＡＴＭセルストリームは、必要とされるフォーマットのユーザ情報へと変換される。これらの変換は、ターミナルアダプタの機能を果たすＣＰノード内のＡＴＭアダプテーションレイヤ（ＡＡＬ）によって実行される。低帯域ＡＴＭセルストリームを生成し受信するだけのＣＰノードは、通常、固定点伝送設備により、遠隔マルチプレクサノード（ＲＭＮ）１０６に接続され、ここで個々の低帯域ＡＴＭセルストリームは、統計的に集線リンク１０８へ多重化またはここから分離される。いくつかのこのような集線リンク１０８はアクセスノード（ＡＮ）１１０に接続され、このアクセスノードには、リンク１１２により、より高い帯域のＣＰノード１０２を接続することもできる。アクセスノード１１０から出現する高度に多重化されたＡＴＭセルストリームは、ローカル交換ノード（ＬＥＮ）１１４まで伝送され、このノード１１４にはその他のＲＭＮ１０６さらには超高帯域ＣＰノード１０２もまた接続できる。図２の交換装置は、例えば、ＬＥＮ１１４内で使用できる。ＬＥＮ１１４は、ＬＥＮ１１４よりも大きいＡＴＭスイッチであるタンデム交換ノード（ＴＥＮ）１１６に接続される。ここでもまた、図２の交換装置をＴＥＮ１１６内で使用することができる。
【００４０】
図３内に示されているＢ−ＩＳＤＮネットワーク１００は、コネクション型通信プロトコルを必要とするコネクション型ネットワークである。コネクション型プロトコルは、異なるＣＰノード間の情報フローが、ルーティング情報を含むヘッダフィールドを伴うＡＴＭセルの形をしていようとも、コールセットアップ手順を必要とする。コールセットアップ手順は、コネクションを伴う全てのＡＴＭセルによって使用されるべき経路またはルートを選択し、例えば図３中のリンク１０８といったネットワークの各物理リンクに現れる呼量は、そのリンクを共有するコネクションの数を制限することによって、制御される。経路は、輻輳を回避する目的で、全てのネットワークリンクおよびパケット交換ノード（例えばＬＥＮ１１４およびＴＥＮ１１６）の間での全負荷を公平に分散するように、選択される。
【００４１】
新しいコネクションが許容される場合には、そのコネクションに対し「仮想コネクション」番号（すなわち特定の仮想パス識別子（ＶＰＩ）および仮想チャネル識別子（ＶＣＩ）値）が割当てられ、そしてその番号は、そのコネクションに属する全てのＡＴＭセルのＶＰＩ／ＶＣＩフィールド内に現れる。仮想コネクション番号は、呼設定のときに各パケットについての発呼元および着呼先の両方を暗示的に識別する。選択された経路に沿った各スイッチは、割当てられた仮想コネクション番号についての情報を、シグナリングメッセージを用いて受けると、その仮想コネクション番号を含むＡＴＭセルが到着する毎に、各スイッチには従うべきルーティング命令が与えられる。
【００４２】
コネクション型通信プロトコルは、呼処理機能によって実行される。この機能は一般に、地域的に分布した各ＣＰノードに備えられたプロセッサへの機能分散であるが、説明の都合上、呼処理機能は単一の中央プロセッサにより実行されるものと見なしてもよい。各ＣＰノードは、中央のコールプロセッサとの通信のためそれに割当てられたパーマネント仮想チャネル番号を有し、中央のコールプロセッサは、通常のＣＰノードを通してトランスポートネットワークに接続される。したがってトランスポートネットワークには、そのコールプロセッサが、その他の何らかのユーザまたはアプリケーションであるかのように見える。特定のＣＰノード（「ソース」ＣＰノード）でのユーザは、もう１つの所望のＣＰノード（「デスティネーション」ＣＰノード）に対するコネクションを要求すべくそのＣＰノードからコールプロセッサまでのパーマネント仮想コネクションを使用することができる。要求されたコネクションは、全二重動作を可能にすべく、双方向であってよい。コールプロセッサは、デスティネーションＣＰノードに、該ＣＰノードが要求されたコネクションを受入れたいか否かを照会するため、該コールプロセッサからデスティネーションＣＰノードまでのパーマネント仮想コネクションを用いる。受入れたい場合、コールプロセッサは、要求された新しい仮想コネクションがロードされた時点でなおも、その経路をすでに用いている他のコネクションの各々が現在享受しているサービスの質が保証最低レベル以上に維持され得るようにする、１本の経路を見い出そうと試みる。
【００４３】
デスティネーションＣＰノードが、そのコネクションを受入れることを拒絶した場合または適当な経路を発見できない場合、コネクションは阻止され、ソースＣＰノードは、コールプロセッサからソースＣＰノードまでのパーマネント仮想コネクションを介して送られるシグナリングメッセージを用いてその事実についての情報を受ける。一方、コネクションを設定できる場合、選択された経路に沿った全ての交換ノードはプロセッサにより新しい仮想コネクション番号についての情報を受け、適当なルーティング命令を受ける。この目的のため、シグナリングメッセージは、パーマネント仮想コネクションを介してコールプロセッサから当該交換ノードまで送られる。これらのシグナリングメッセージは、例えば図２の交換装置内のホストプロセッサ１６といった交換ノード内のホストプロセッサに送信される必要がある。図２の装置自体の中でシグナリングメッセージが取扱われる方法については、後でさらに詳細に考察する。
【００４４】
ちなみに、パーマネント（予め構成された）仮想コネクションに加えて、交換された（ダイアルアップコネクティビティ）仮想コネクションもまた、シグナリングメッセージを伝送するのに使用できる。
呼がひとたび設定されたならば、ソースおよびデスティネーションＣＰノードは、割当てられた経路（もしくは２重化コネクションの場合には、複数の経路）を通して情報の交換を行う。割当てられた経路に沿って通過する各ＡＴＭセルは、そのヘッダ内に割当てられた仮想コネクション番号を含み、要求されたルーティングを決定するために交換ノードによりヘッダのみが（実時間で、好ましくは可能なかぎりＶＬＳＩ回路を用いて）処理される。したがって、与えられた仮想コネクションを伴う全てのセルは、ネットワークを通して同じルートを進み、これらのセルが生成されたのと同じ順序で送信される。
【００４５】
ソースまたはデスティネーションＣＰノードのいずれかが呼を終了することを望む場合、呼設定のときと同様のプロセスが呼の復旧を行うのに使用される。ここでもまた、ソースおよびデスティネーションＣＰノードとコールプロセッサおよびコールプロセッサと当該交換ノードとの間でシグナリングメッセージを送るのに、パーマネント仮想コネクションが用いられる。
【００４６】
図３のネットワークでは、ユーザ情報がＡＴＭセルの形で伝送されるのと全く同様に、ソースおよびデスティネーションＣＰノードとの間およびコールプロセッサと交換ノードとの間のシグナリングメッセージは、ＡＴＭセルの形で伝送される。ユーザ情報およびシグナリングメッセージのＡＴＭセルへの変換は、ＡＴＭアダプテーションレイヤ（ＡＡＬ）の機能である。
【００４７】
図３に示されているＣＰノードの中の１つのＣＰノードの動作に関係するプロトコルを示す図４を参照すると、ＣＰノードのためのＡＴＭアダプテーションレイヤは、複数のタイプのサービスを支援する必要があろう。ユーザサービスには、コネクション型、コネクションレス型そして場合によってはその他のタイプの可変ビットレート（ＶＢＲ）サービス、および固定ビットレート（ＣＢＲ）サービスが含まれる。ＶＢＲサービスは、さまざまな異なるピークデータ転送速度をもつ非持続型のトラフィック、例えばバーストデータトラフィック、イメージファイル、大形データベースファイル転送、パケットビデオおよびパケットボイスを支援する。一方、ＣＢＲサービスの方は、例えばデジタルビデオおよび６４Ｋビット／秒のデジタルボイスといった、長時間にわたる一定のデータ転送速度をもつ持続型トラフィックを支援する。さらにもう１つのＶＢＲサービスとして、制御信号（シグナリングメッセージ）が提供される。
【００４８】
ＡＡＬは、ユーザが生成した情報信号を受信するユーザインタフェースと、制御信号を受信する制御インタフェースとを有する。ＡＡＬは、情報および制御信号をＡＴＭネットワーク内へ導入するに先立ってＡＴＭに適した標準フォーマットに変換し、また、ユーザおよび制御インタフェースへの出力に先立ちネットワークから到着したＡＴＭセルから情報信号および制御信号を再構成するためのものである。
【００４９】
ＡＡＬの方は、図４に示されているように２つのサブレイヤに分割される。コンバージェンスサブレイヤ（ＣＳ）は、ユーザ生成信号および制御信号のためのカプセル化／非カプセル化機能を果す。実際、図５に示されているとおり、例えばＡＡＬ３／４およびＡＡＬ５といったある種のタイプのＡＡＬにおいては、ＣＳサブレイヤはさらに共通部コンバージョンサブレイヤ（ＣＰＣＳ：ｃｏｍｍｏｎ  ｐａｒｔ  ｃｏｎｖｅｒｓｉｏｎ  ｓｕｂ−ｌａｙｅｒ）とサービス特定コンバージェンスサブレイヤ（ＳＳＣＳ）に細分される。特定ＡＡＬユーザサービスを支援するために、一定数のＳＳＣＳプロトコルがすでに定義づけられており、また現在開発中である。ＡＡＬ５は一般に、シグナリングメッセージのために使用される。
【００５０】
ＡＡＬ５に関係する図６に示されているとおり、ソースＣＰノードにおいて、ＡＴＭネットワークを通して伝送され究極的にはデスティネーションＣＰノードに送信されるべきもとのユーザ生成情報信号または制御信号が、（備わっている場合にはＳＳＣＳ内での処理の後で）ＣＰＣＳサービスデータユニット（ＣＰＣＳ−ＳＤＵ）の形でＣＰＣＳに送信される。ＣＰＣＳにおいては、信号（ＣＰＣＳ−ＳＤＵ）は、図７に示されているように、そのペイロードとしてＣＰＳ５プロトコルデータユニット（ＣＰＣＳ−ＰＤＵ）内にカプセル化される。ＣＰＣＳ−ＰＤＵはまた、最高で長さ４７オクテットでありうるパディングフィールドおよび図７にそのフォーマットがさらに詳しく示されている８オクテットのトレーラも有している。ＣＰＣＳ−ユーザ−ツー−ユーザ（ＣＰＳ−ＵＵ）インジケーションフィールドが、ＣＰＣＳユーザ−ツー−ユーザ情報をトランスペアレントに転送するために用いられる。現在、トレーラの６４ビットのアラインメントを指示するのに共通部インジケータ（ＣＰＩ）のみが使用され、０にセッされているが、将来的な機能としては、障害監視の目的等のための管理メッセージの識別およびオペレーションおよびメンテナンス（ＯＡＭ）メッセージの識別が含まれる。長さフィールドは単にＣＰＣＳ−ＰＤＵペイロードの長さを表示する。ペイロードの長さは、１〜６５５３５オクテットの範囲内にあり、オクテット整列されていなければならない。情報の喪失または取得を検出するため、受信部はその長さフィールドを用いる。長さフィールドは、オクテットの数の２進コードである。ＣＰＣＳ−ＰＤＵ内のビットエラーを検出するために巡回冗長検査（ＣＲＣ）フィールドが使用される。ＣＲＣの対象範囲は、パディングフィールド、ＣＰＣＳ−ＵＵ，ＣＰＩおよび長さフィールドを含めたＣＰＣＳ−ＰＤＵ全体を網羅する。
【００５１】
図６に示されているように、ＣＰＣＳ−ＰＤＵはヘッダを有していないものの、サービス特定コンバージェンスサブレイヤ（ＳＳＣＳ）によりヘッダがすでに付加されている可能性もあり、その場合には、そのヘッダはそれ相応にＣＰＣＳ−ＳＤＵの一部をなすことになる。
このときＣＰＣＳ−ＰＤＵ全体は、可変長の単一フィールドとしてＣＰＣＳ−ＰＤＵを処理するＳＡＲサブレイヤ（図４）に移される。図６に示されているとおり、このときＳＡＲ機能は、ＣＰＣＳ−ＰＤＵを、各々１つのＳＡＲ−ＰＤＵのペイロードを構成する４８オクテットのセグメントに分割することである。最後のセグメントは、全４８オクテットのペイロードを形成すべくパディングを必要とすることもあろう。ＳＡＲ−ＰＤＵはさらに、図８に示されているとおり５バイトのヘッダを含む。
【００５２】
ＡＡＬ５  ＳＡＲ機能においては、その主な焦点は効率性にあり、したがって、ユーザまたは制御情報を伝送するのに、ＡＴＭセルペイロード内で利用可能な４８オクテットが全て用いられる。したがって、メッセージの始め、続きまたは終りを指示するのに、ＳＡＲ−ＰＤＵペイロードのオクテットのいずれをも利用できない。その代わり、メッセージの始め、続きおよび終りを、ＳＡＲ機能によって検出するのに、ＡＴＭセルヘッダのペイロードタイプ（ＰＴ）フィールドが用いられる。ＰＴフィールド内で通常のＰＴ情報がなおも伝送されるが、図８に示されているペイロードタイプのコーティングを生成するためにＡＴＭ−レイヤ−ユーザ−ツ−ＡＴＭ−レイヤ−ユーザ（ＡＵＵ）パラメータで符号化される。
【００５３】
こうして、ＡＡＬ５レイヤによって実行されたセグメント化プロセスは完了する。再組立てプロセスは、基本的にセグメント化プロセスの逆であり、複数のＳＡＲ−ＳＤＵからメッセージ（ＣＰＣＳ−ＳＤＵまたは該当する場合にはＳＳＣＳ−ＳＤＵ）を再構成するのに役立つ。
図４内のＡＴＭレイヤは、５３オクテットのＡＴＭセルを形成すべく、各ＳＡＲ−ＰＤＵへまたはそこから５バイトのヘッダを付加または除去する働きをする。物理レイヤは、伝送リンク媒体へセルを乗せまたはこの伝送リンク媒体からセルを受信する働きをする。シグナリングメッセージがそれに特定的に向けられている場合を除いて、図３に示されたＡＴＭネットワークのノードすなわち遠隔マルチプレクサ、アクセス、ローカル交換機およびタンデム交換ノードは、ＡＴＭセルヘッダ上のみで動作する。ここに４８バイトのセルペイロードは、ＡＴＭネットワークエンティティによって処理されず、また読取られることさえない。
【００５４】
図４に示されているさまざまなレイヤに加えて、図３のＢ−ＩＳＤＮネットワークのためのプロトコルレイヤモデルはまた、ＣＰノード内の全てのユーザおよび制御レイヤの管理を担う管理プレーンを含む。管理プレーンは、例えばコールセットアップ手順に関与する。管理プレーンのレイヤ管理エンティティが、ユーザおよび制御レイヤの各々をインタフェースする働きをし、これらのレイヤが（ローカル管理の目的かまたは遠隔ＣＰノードの管理プレーンへの伝送のため）これらのレイヤに命令を与える役目と（いくつかの遠隔ＣＰノードの管理プレーン内で生成されたかまたはローカルに生成された）これらのレイヤからの応答を受け取る役目とを果す。
【００５５】
ここで図２に戻ると、交換装置２１は、図３に示されたＡＴＭネットワークの交換ノード、例えばそのローカル交換ノード（ＬＥＮＳ）１１４またはタンデム交換ノード（ＴＥＮｓ）１１６に具備される。装置２１の４Ｎ個のＵＮ１ポートは、その交換ノードをその他の交換ノードにリンクするまたはアクセスノード（ＡＮ）１１０の１つまたは顧客宅内（ＣＰ）ノード１０２の１つといったようなＡＴＭネットワークエンティティにリンクする、異なるそれぞれのＡＴＭ伝送ラインに接続される。
物理レイヤデバイス２1 〜２N は、ＵＮＩポートに接続されたＡＴＭ伝送ラインから受信されたそれぞれのビットストリームを、ＡＴＭレイヤデバイスであるトラフィック管理デバイス２４1 〜２４N への伝送のために適したＡＴＭセルストリームへと変換する。物理レイヤデバイス２により実行される機能としては、セル速度のデカップリング（ｄｅｃｏｕｐｌｉｎｇ）、ヘッダエラー制御（ＨＥＣ）ヘッダ順序生成（ｓｅｑｕｅｎｃｅ  ｇｅｎｅｒａｔｉｏｎ）／確認（ｖｅｒｉｆｉｃａｔｉｏｎ）；セルのデニリエーション（ｄｅｌｉｎｅａｔｉｏｎ）；伝送フレームアダプテーション；伝送フレーム生成および再生；およびビットタイミング、が含まれる。伝送フレームアダプテーション、生成および再成機能が必要とされるのは、物理レイヤにおける情報か、例えばＩＴＵ−Ｔ  Ｇ．７０７，Ｇ．７０８、およびＧ．７０９同期デジタルハイアラーキ（ＳＤＨ）フォーマット、ＳＴＭ−１フォーマット（１５５．５２Mbit／秒）またはＩＴＵ−Ｔ  Ｇ．７５１プレシオクロナスデジタルハイアラーキ（ＰＤＨ）Ｅ３フォーマット（３４．３６８Mbit／秒）といった、任意の適当なフレームフォーマットで伝送されるからである。その他の適当なフォーマットとしては、ＡＴＭ  Ｆｏｒｕｍにより規定されているようなファイバ分散データインタフェース（ＦＤＤＩ）４ｂ／５ｂがある。
【００５６】
物理レイヤデバイス２1 〜２N によって生成されるそれぞれのＡＴＭセルストリームは、それぞれのデータ送達経路６i 〜６N を介して対応するトラフィック管理デバイス２４1 〜２４N に転送される。
図９は、トラフィック管理デバイス２４の１つの概略図である。トラフィック管理デバイスは、入力部３２と出力部３４を含む。入力部３２は、セル受信回路３２２、セル識別（ＩＤ）回路３２４、およびセル出力回路３２６を含む。セル出力回路３２６は、入力部３２をスイッチ体に付随する入力ポートにリンクするデータ送達経路１０の伝送部分に接続された第１のポートＰ１および、入力部３２をＳＡＲデバイス１２にリンクするための、ＳＡＲバス２６に接続された第２のポートＰ２を有する。
【００５７】
物理レイヤデバイス２から入力部３２に到着したセルは、セル受信回路３２２によって受信される。
セル受信回路３２２の制御下で、トラフィック管理デバイスに到着したセルは通常、トラフィック管理デバイスの一部をなすかまたはさらに通常は図９に示されているように１本のバスでトラフィック管理デバイスに接続されたスタティックＲＡＭといった別のメモリデバイスである受信メモリ３６に、一時的にバッファされる。受信メモリ３６は、例えば、Ｎ個の異なるトラフィック管理デバイスにそれぞれ対応する複数の受信待ち行列ＲＱ1 〜ＲＱN として形成することができる。以下でさらに詳しく説明するように、もう１つの受信待ち行列（ｒｅｃｅｉｖｅ  ｑｕｅｕｅ）ＲＱSAR もまた受信メモリ３６内に設けられる。
【００５８】
各受信待ち行列ＲＱはまた、異なるトラフィックプライオリティレベルにそれぞれ対応する複数のサブ待ち行列ＳＱ0 〜ＳＱ3 に細分化することもできる。図９では、プライオリティレベル３（最下位レベル）は、利用可能ビットレート（ＡＢＲ）および非特定ビットレート（ＶＢＲ）トラフィックに対応し、プライオリティレベル２は、非実時間（ｎｏｎ−ｒｅａｌ−ｔｉｍｅ）可変ビットレート（ＮＲＴ−ＶＢＲ）ドラフィックに対応し、プライオリティレベル１は、実時間（ＲＴ）ＶＢＲトラフィックに対応し、プライオリティレベル０（最高位レベル）は固定ビットレート（ＣＢＲ）トラフィックに対応する。
【００５９】
セル識別回路３２４において、各受信セルのセルヘッダは、もう１つのＡＴＭネットワークエンティティのホストプロセッサから発信されたシグナリングメッセージまたはホスト間通信メッセージの一部をそのセルが形成しているか否かを決定するために検査される。このようなセルは、セルヘッダのＶＰＩ／ＶＣＩフィールドに基づいて、ユーザデータセルと区別できる。例えば、このようなシグナリングおよびホスト間通信メッセージの通信のために確保されたパーマネント仮想コネクションは全て５という特別なＶＣＩ値（ただし任意の適当なＶＰＩ値）を有することができる。こうして、シグナリングおよびホスト間通信メッセージに属するセルを、通常のデータメッセージを構成する他のセルと区別することができる。
【００６０】
シグナリングメッセージの例としては、（前述した通りの）コールセットアップメッセージおよびポイントツーマルチポイント接続のセットアップメッセージが含まれる。ポイントツーマルチポイントのシグナリングメッセージはまた、個々のリンクが一度に１つずつ別々にセットアップされることから、５というＶＣＩ値を使用する。専用シグナリングメッセージの他の例としては、メタ（Ｍｅｔａ）シグナリングメッセージ（ＶＰＩ＝任意、ＶＣＩ＝１）および一般同報通信（Ｇｅｎｅｒａｌ  Ｂｒｏａｄｃａｓｔ）シグナリング（ＶＰＩ＝任意、ＶＣＩ＝２）が含まれる。さらにホスト間通信メッセージは、メッセージを構成するセルに特別なＶＰＩ／ＶＣＩの組合せを割当てることによって識別されるユーザ定義メッセージを含むことができる。さらに、ホスト間通信メッセージにはまた、「ＡＴＭユーザ−ネットワークインタフェース仕様書」、第３．１版、第４節：中間ローカル管理インタフェース仕様の中でさらに詳しく記述されているように、隣接するＡＴＭ  ＵＮＩ管理エンティティ（ＵＭＥｓ：ＵＮＩ  Ｍａｎａｇｅｍｅｎｔ  Ｅｎｔｉｔｉｅｓ）間の中間ローカル管理インタフェース（ＩＬＭＩ：Ｉｎｔｅｒｉｕｍ  Ｌｏｃａｌ  Ｍａｎａｇｅｍｅｎｔ  Ｉｎｔｅｒｆａｃｅ）通信も含むことができる。このようなＩＬＭＩ通信メッセージに属するセルにはまた、単数または複数の特定のＶＰＩ／ＶＣＩ値（例えばＶＣＩ＝１６，ＶＣＩ＝任意の適当な値）が割り振られることになる。
【００６１】
受信セルがユーザ−データセルであることをセル識別回路３２４が決定すると、当該セルのためのデスティネーショントラフィック管理デバイスが、入力部によってアクセス可能なルーティングテーブルを用いて、識別される、そしてセルは、デスティネーショントラフィック管理デバイス（およびセルプライオリティレベル）に対応する受信待ち行列ＲＱ（および備わっている場合にはサブ待ち行列ＳＱ）の中に格納される。ホストプロセッサが交換装置内の輻輳を検出できるようにする目的で、ホストバス２８を介してホストプロセッサ１６により、異なる受信待ち行列の充てんレベルを定期的に読み取ることができる。
【００６２】
トラフィック管理デバイスは、連続するタイムスロット内にて同期的に動作する。各タイムスロットにおいて、各トラフィック管理デバイスのセル出力回路３２６は、装置内のトラフィック管理デバイスのうちのもう１つのトラフィック管理デバイスに対して１つ（または場合によって複数の）ＡＴＭセルを転送でき、スイッチ体８は、入力ポートの１つと出力ポートの１つとの間にあるデータ転送経路を最高Ｎ個備える。セルは、セル出力回路３２６の第１のポートＤ１から出力される。伝送すべきセルをどの受信待ち行列から取り出すかの選択は、ホストプロセッサ１６よりトラフィック管理デバイスに与えられたスケジューリング情報に基づいて、セル出力回路３２６によって行われる。スケジューリングを決定する上で、ホストプロセッサは、輻輳の可能性を考慮するが、スイッチ体内の回線争奪の問題を避けるため、トラフィック管理デバイスのためのソース−デスティネーション対も選択する。これらの事項については、本出願人の同時係属英国特許出願第９６１７１１０．３号の中でさらに詳述されている。
【００６３】
スイッチ体を通過した後、デスティネーショントラフィック管理デバイスの出力部３４に達したセルは再び、送信メモリ３８内に一時的にバッファされる。この送信メモリは、受信メモリ３６と同様、複数の送信待ち行列ＴＱX 〜ＴＱX+3 として形成できる。各送信待ち行列ＴＱは、当該トラフィック管理デバイス２４に接続された物理レイヤデバイス２によって制御される異なるＵＮＩポートＸ〜Ｘ＋３にそれぞれ対応する。各送信待ち行列は、（送信待ち行列ＴＱX+3 の場合のように）、当該ＵＮＩポートを用いて異なる仮想コネクションＶＣW 〜ＶＣZ または（送信待ち行列ＴＱX の場合のように）異なるプライオリティレベルに対応する複数のサブ待ち行列ＳＱ0 〜ＳＱ3 に細分化され得る。
【００６４】
一方、トラフィック管理デバイス２４の入力部３２内のセル識別回路３２２が、その対応する物理レイヤデバイス２から受信したセルが信号シグナリングメッセージまたはホスト間通信メッセージに属するということを決定した場合、セルは、ＳＡＲデバイス１２に対応するさらなる受信待ち行列ＲＱSAR の中に一時的に格納される。
【００６５】
異なるトラフィック管理デバイス２４1 〜２４N にリンクさせるＳＡＲバス２６にとってのマスターデバイスであるＳＡＲデバイス１２は、連続的にトラフィック管理デバイスをポーリングしてそれらのうちのいずれかがシグナリングまたはホスト間通信メッセージに属するセルを受信したか否かを見付け出す。トラフィック管理デバイスの１つから、かかるセルが受信されたという情報を受けたとき、このデバイスは、当該トラフィック管理デバイスのセル出力回路３２６に対し受信待ち行列ＲＱSAR からのセルを読取り、そのセルを、ＳＡＲバス２６を通して第２のポートＰ２を介してＳＡＲデバイスに伝送するように命令する。このとき、転送されたセルは、ＳＡＲデバイス１２により、同じメッセージに属する他のセルと一緒に再組立てされ、セルのペイロード部はＳＡＲ−ＳＤＵとして扱われ、（メッセージがＡＡＬ５メッセージであると仮定して）セルヘッダのＰＴフィールド内のペイロードタイプ（ＰＴ）情報は、メッセージの始め、続きおよび終りのＳＡＲ−ＳＤＵを検出するのに必要とされるＡＴＭ−レイヤ−ユーザ−ツー−ＡＴＭ−レイヤ−ユーザ（ＡＵＵ）パラメータを抽出すべく復号化される（上述の図６〜８参照）。ＳＡＲデバイス１２に接続されたメモリデバイス１４は、メッセージの再組立て中に個々のＳＡＲ−ＳＤＵを格納するのに用いられる。同一のメッセージに属する異なるＳＡＲ−ＳＤＵは、ＣＰＣＳ−ＰＤＵのセグメントを提供する。このＰＤＵは、メッセージの発信元にてＡＡＬ機能により付加されたＣＰＣＳ−ＰＤＵトレーラを含む。トレーラ内の長さフィールドは、情報の喪失または取得を検出すべく、ＳＡＲデバイス１２によって使用される。同様に、ＣＰＣＳ−ＰＤＵ内のビットエラーを検出するために、ＳＡＲデバイスはＣＲＣフィールドを用いる。ＣＰＣＳ−ＰＤＵペイロードから、再組立てされたメッセージ（ＣＰＣＳ−ＳＤＵ）が次に抽出され、ホストプロセッサ１６がそれを利用できる状態になる。
【００６６】
ちなみに、ＳＡＲデバイス１２は、もし備わっている場合にはサービス特定のコンバージェンスサブレイヤ（ＳＳＣＳ）を実行するのに使用することもでき、その場合、ＣＰＣＳ−ＳＤＵは、ホストプロセッサへのそのＳＤＵの送信に先立って、ＳＳＣＳによって、要求された最終的メッセージ（ＳＳＣＳ−ＳＤＵ）に変換される。
【００６７】
ホストプロセッサ１６では、再組立てされたメッセージが検査され、それに応えた適当なアクションがとられる。例えば、新しい呼がセットアップされた場合、ＡＴＭネットワークの呼処理機能によりシグナリングメッセージが送られ、その新しいコネクションに属するセルに割振られたＶＰＩ／ＶＣＩフィールドについてホストプロセッサに情報を与え、新しいコネクションが使用すべき装置のＵＮＩポートを識別する。これらのシグナリングメッセージ内に含まれたその情報は、ホストプロセッサ１６によって記録され、また、この新しいコネクションに属するセルをそれらが交換装置に入ってくるにつれて受信しセルを適当なデスティネーショントラフィック管理デバイスまでルーティングするようにするトラフィック管理デバイスのスイッチルーティングテーブル（またはアドレス翻訳回路）を更新するためにも、上記の情報はホストプロセッサによって使用される。
【００６８】
ホストプロセッサ１６が、シグナリングメッセージまたはホスト間通信メッセージを受信するよりもむしろ送信することを要求する場合には、ホストプロセッサは、ＳＡＲデバイス１２によるセグメント化がいつでもできる状態でメモリ１４内にメッセージを格納する。ＳＡＲデバイス１２は、メッセージをＣＰＣＳ−ＳＤＵとして扱う（もしＳＡＲデバイス１２内にＳＳＣＳが具備されている場合には、もとのメッセージはＳＳＣＳ−ＳＤＵとして扱われ、まずＣＰＣＳ−ＳＤＵに変換される）。次に、そのペイロードとしてのＣＰＣＳ−ＳＤＵ、パディングフィールドおよびＣＰＣＳ−ＰＤＵトレーラを有するＣＰＣＳ−ＰＤＵが形成される（図７）。ＣＰＣＳ−ＰＤＵはその後ＳＡＲ−ＳＤＵにセグメント化され、ＡＴＭセルのペイロードを提供するために各ＳＡＲ−ＳＤＵが使用される。セルヘッダのＰＴフィールド内のＰＴ情報は、ＡＵＵパラメータを伝送すべく図８に示されているように符号化される（メッセージの始めおよび続きを構成するセルについてはＡＵＵ＝０、メッセージの終りを構成するセルについてはＡＵＵ＝１）。セルを意図されたデスティネーションにルーティングするのに必要とされるＶＰＩ／ＶＣＩ値はまた、各セルのＶＰＩ／ＶＣＩフィールド内にロードされる。例えば、ホストプロセッサ１６とデスティネーションＣＰノードまたはその他の交換ノード内のホストプロセッサの間の通信のために、パーマネント仮想コネクションが確保されている可能性がある。この場合、そのパーマネント仮想コネクションに割当てられた特別なＶＰＩ／ＶＣＩ値（例えばＶＣＩ＝５，ＶＰＩ値＝任意）は、各セルのＶＰＩ／ＶＣＩフィールド内にロードされる。
【００６９】
ＳＡＲデバイスはまた、メッセージに属するセルのためのデスティネーショントラフィック管理デバイスも識別し、このデバイスは、これに対応する物理レイヤデバイスが、セルが交換装置から出力されるべきＵＮＩポートを制御するようなトラフィック管理デバイスである。このときＳＡＲデバイス１２は、ＳＡＲバス２６を介してセルをデスティネーショントラフィック管理デバイスまで転送し、そしてそのセルは、セルが出力されるべきＵＮＩポートに対応する送信待ち行列の中の１つの送信メモリ３８内に格納される。セルはその後当該送信待ち行列から、トラフィック管理デバイスの出力部３４の制御のもとで、物理レイヤデバイス２を介してＵＮＩポートまで転送される。
【００７０】
ＳＡＲデバイスがスイッチ体のポートに接続された図１の交換装置とは異なり、図２の装置では、シグナリングおよびホスト間通信メッセージを構成するＡＴＭセルは、トラフィック管理デバイスからＳＡＲデバイスまで直接伝送され得る、ということがわかるであろう。したがって、スイッチ体のポートは全て、交換すべき優先的情報であるユーザ情報を表すセルを交換するために利用可能である。したがって、図２の装置がサポートすることのできるＵＮＩポートの数は、図１の装置がサポート可能な数よりも多い。その上、ＳＡＲデバイスに向けられたセルは、スイッチ体の中を通ることなしに、トラフィック管理デバイスによりＳＡＲデバイスに直接迂回させられることから、シグナリングおよびその他のメッセージによってひき起こされるスイッチ体内の回線争奪は回避される。
【００７１】
前述の実施例では、ＡＡＬ５通信プロトコルが使用されていたものの、これは本発明にとって必要不可欠なことではなく、本発明の実施例では、セグメント化および再組立て機能を必要とする適当なあらゆる通信プロトコルを使用することができるというとがわかるであろう。
さらに、上述の実施例ではシグナリングメッセージおよびホスト間通信メッセージに属するセルは、それに割当てられたＶＰＩ／ＶＣＩ値に基づいてその他のセルから区別されるようになっているが、この他に、ユーザ−データセルからシグナリング／ホスト間通信メッセージセルを区別する他の適当なあらゆる方法も使用することができる。
【００７２】
本発明のもう１つの実施例について、以下図１０〜１５を参照しながら説明する。この実施例においては、図１０に示されているように、ＡＴＭネットワークの上流ノード６０と下流ノード７０の間に配置されているインターネットプロトコル（ＩＰ）スイッチ５０を実現するのに、交換装置が使用される。上流および下流ノードは、インターネットプロトコルを用いて通信する。
【００７３】
ここで、この実施例における交換装置５０の構成を示す図１１を参照すると、図２を参照しながら前述した構成要素に加えて、交換装置５０はさらに、独自のメモリ５４およびＩＰスイッチプロセッサ５６を有するＩＰスイッチ制御装置５２を含んでいる。メモリ５４およびＩＰスイッチプロセッサ５６は両方共ホストバス２８に接続されており、このホストバスは交換装置のホストプロセッサ１６を各トラフィック管理デバイス２４1 〜２４N にリンクする。
【００７４】
ＳＡＲデバイス１２は、ＩＰスイッチ制御装置５２の一部として図１１に示されているが、これは必要不可欠ではなく、ＳＡＲデバイス１２はホストプロセッサ１６およびＩＰスイッチプロセッサ５６の両方によって使用されることから、ＩＰスイッチ制御装置５２の外部にあってもよい。ＳＡＲデバイス１２は内部メモリ５４に接続されまたＩＰスイッチ制御装置５２内のＩＰスイッチプロセッサ５６と、ホストバス２８の延長によって、接続される。
【００７５】
図１１においては、ＩＰスイッチ制御装置５２はホストプロセッサ１６とは分離して示されているが、交換装置のサイズに応じて、ホストプロセッサ１６およびＩＰスイッチプロセッサ５６を提供するための単一のプロセッサを使用することも可能である。この場合、メモリ１４および５４を組合せて単一のメモリとすることもできる。
【００７６】
ここで、図１２〜１５を参照しながら、図１１の交換装置の作動について記述する。
ちなみに、図１２〜１５においては、各トラフィック管理デバイス２４（図９参照）の入力部３２および出力部３４は、物理的には例えば入力部３２1 と出力部３４1 の両方が同じトラフィック管理デバイス２４1 の一部をなすことになるであろうが、単なる例示のために分離して示している。
【００７７】
図１２では、装置の初期動作条件が示されていて、ここに上流ノード６０は予め定められた入力仮想チャネルＩＶＣDEF を確立しており、このＩＶＣDEF は、当初ノード６０とＩＰスイッチ５０との間のＩＰパケットのためのデフォルト転送（ｆｏｒｗａｒｄｉｎｇ）チャネルとして用いられる。図１２に示されているとおり、この場合、デフォルト転送チャネルＩＶＣDEF は、そのソーストラフィック管理デバイスとしてトラフィック管理デバイス２４1 を有するということが想定されている。
【００７８】
交換装置５０から下流ノード７０までＩＰパケットを転送するのに使用するため、デフォルト出力仮想チャネルＯＶＣDEF もまた初期化される。図１２に示されているとおり、この場合、仮想チャネルＯＶＣDEF のデフォルトは、デスティネーショントラフィック管理デバイス２４N によって制御されるものと想定される。
【００７９】
上流および下流ノード６０および７０は、通信のためにインターネットプロトコルを用いる。ＩＰパケットは、交換装置５０を介して、上流ノード６０から下流ノード７０まで送られる。これらのパケットは例えば、長さが最高６４Ｋバイトであってよく、したがって各パケットは、複数の個々のＡＴＭセルにセグメント化されなくてはならない。当初、各々のセルは、上流ノード６０から交換装置５０まで転送されているときに、デフォルト入力仮想チャネルＩＶＣDEF に対応する第１のＶＰＩ／ＶＣＩの組合せをそのヘッダ部内に有し、交換装置５０から下流ノード７０まで転送されているときは、デフォルト出力仮想チャネルＯＶＣDEF に対応していて第１のＶＰＩ／ＶＣＩの組合せとは異なる第２のＶＰＩ／ＶＣＩの組合せを有する。第１のＶＰＩ／ＶＣＩの組合せから第２のＶＰＩ／ＶＣＩの組合せへの必要な交換は、例えばソーストラフィック管理デバイス２４1 の入力部３２1 によって交換装置内にて行われる。
【００８０】
ＩＰパケットが、デフォルト入力仮想チャネルＩＶＣDEF を介してソーストラフィック管理デバイス２４1 の入力部３２1 によりセル毎に受信されたとき、そのパケットを構成する個々のセルは、各セルヘッダがデフォルト入力仮想チャネルＩＶＣDEF に対応する第１のＶＰＩ／ＶＣＩの組合せを有することから、入力部３２1 によってその他のセルから区別される。
【００８１】
以下にさらに詳述する理由で、入力部３２1 は、ＩＰパケットのセルを、ＳＡＲバス２６を介して、ＳＡＲデバイス１２まで通過させる。ＳＡＲデバイス１２においては、同じＩＰパケットに属する各セルは、ＩＰスイッチ制御装置５２の内部メモリ５４を用いて、パケットを再組立てするために組合わされる。
ＩＰスイッチプロセッサ５６は、いわゆるＩＰフローを識別することを目的として、メモリ５４内の再組立てされたパケットを検査するためのインテリジェントルーティングソフトウェアを走らせる。検査されるとき、ネットワークトラフィックを、短命（ｓｈｏｒｔ−ｌｉｖｅｄ）トラフィックまたはより長い「フロー」指向の伝送に分類することができる。これらのフローは、例えばファイル転送（ＦＴＰ）といったようなタイプを決定するために各パケットを検査すること、または会話対（ｃｏｎｖｅｒｓａｔｉｏｎａｌ  ｐａｉｒｓ）を識別することのいずれかによって、識別される。会話対は、同じ発信元および着信先アドレスを含む一連のパケットによって、特徴づけられる。フローは本質的に単方向であり、交換形のコネクションを介して伝送されるのに適しており、かくして通常のルーティングプロセスの場合のように、個々のパケットの検査に伴う処理オーバーヘッドおよび遅延を回避する。
【００８２】
交換装置が、フローを検出し、そしてフローを構成すると決定されたパケットを、かかるフローを構成するものとして識別されていないパケットとは別個に処理することを可能にするために、ＩＰスイッチ制御装置５２が、設けられている。図１３に示されているように、パケットがフローの一部をなしていない場合、それは単に個々のセルに再びセグメント化され、そしてセルは、トラフィック管理デバイスのうちの選択された１つのデバイスの入力部（例えば、図１３において、トラフィック管理デバイス２４2 の入力部３２2 ）に転送される。この場合トラフィック管理デバイス２４N であるデスティネーショントラフィック管理デバイスまで、スイッチ体を介して上記セルを転送するためである。ここから、セルは、デフォルト出力仮想チャネルＯＶＣDEF を介して下流ノード７０に出力される。これは、従来の（蓄積交換（ｓｔｏｒｅ−ａｎｄ−ｆｏｒｗａｒｄ））ルーティングプロセスに対応する。
【００８３】
ちなみに、セグメント化されたパケットのセルが、ＩＰスイッチ制御装置によって送出されるべきトラフィック管理デバイスの選択は、例えば交換装置内の輻輳／回線争奪を避けるために、一般的な（ｐｒｅｖａｉｌｉｎｇ）トラフィック条件に従って決定することができる。あるいは、セグメント化されたセルをもとのソーストラフィック管理デバイス（この例では２４1 ）に送り返すことは常に可能である。
【００８４】
ただし、この従来のプロセスは、ＩＰパケット全体がＩＰスイッチ制御装置５２によって受信され、格納され、そしてその後送り出されなくてはならないことから、比較的ゆっくりしたものである。
例えば、各々再組立てされたパケットにより運ばれるパケットタイプ識別子に基づいてあるいは与えられた期間内に同じ発信元および着信先アドレスを有する再組立てされたパケットの数に基づいて、フローが存在するということをＩＰスイッチ制御装置５２は、決定した場合には、該制御装置５２はシグナリングメッセージＡ（図１４参照）を生成する。このメッセージＡは、ＳＡＲデバイス１２（これはシグナリングメッセージをＡＴＭセルにセグメント化する）およびトラフィック管理デバイス２４の１つを介して、上流ノード６０に転送される。シグナリングメッセージＡは、上流ノード６０に対して、フローが検出されたということを伝え、そして該上流ノードに対して、デフォルト入力仮想チャネルＩＶＣDEF を用いる代わりに、新しい入力仮想チャネルＩＶＣNEW を用いて交換装置５０にそのフローに属するパケットを送るように要求する。交換装置５０は、新しい仮想チャネルＩＶＣNEW のためのＶＰＩ／ＶＣＩの組合せを提案する。
【００８５】
上流ノードが、上記の要求および提案されたＶＰＩ／ＶＣＩの組合せに同意した場合、該上流ノードは、トラフィック管理デバイス２４の１つおよびＳＡＲデバイス１２を介して、ＩＰスイッチ制御装置５２までシグナリングメッセージＢ（図４参照）を送り返し、この地点以降において、該上流ノードは、新しい入力仮想チャネル（ＩＶＣNEW ）に対応する指定されたＶＰＩ／ＶＣＩの組合せをヘッダに有する検出フローのパケットに属する各セル、を送る。
【００８６】
同時に、ＩＰスイッチ制御装置はさらなるシグナリングメッセージＣ（図１４参照）を、ＳＡＲデバイス１２およびトラフィック管理デバイス２４の１つを介して下流ノード７０に送る。シグナリングメッセージＡと同様に、シグナリングメッセージＣは、下流ノードに対し、１つのフローが検出されたことを知らせ、そのフローに属するトラフィックを、デフォルト出力仮想チャネルＯＶＣDEF を使用する代わりに、新しい出力仮想チャネルＯＶＣNEW を用いて下流ノードへと送る許可を要求する。ここでもまた、ＩＰスイッチ制御装置５２は、新しい出力仮想チャネルＯＶＣNEW のためのＶＰＩ／ＶＣＩの組合せを提案する。下流ノード７０がこの要求および提案されたＶＰＩ／ＶＣＩの組合せに同意した場合、該下流ノードはシグナリングメッセージＤ（図１４参照）をＩＰスイッチ制御装置５２まで送り返す。
【００８７】
ひとたび新しい入力および出力仮想チャネルＩＶＣNEW およびＯＶＣNEW が、上流ノード６０、下流ノード７０およびＩＰスイッチ制御装置５２の間で同意されたならば、ＩＰスイッチ制御装置５２は、ハードウェア内で直接フローをルーティングすべく、交換装置５０内でトラフィック管理デバイスに対しプログラムする。例えば、図１５に示されているように、新しい入力仮想チャネルＩＶＣNEW が、トラフィック管理デバイス２４N （新しい「ソース」トラフィック管理デバイス）の入力部３２N に、セルを送達し、そして新しい出力仮想チャネルＯＶＣNEW が、トラフィック管理デバイス２４2 （新しい「デスティネーション」トラフィック管理デバイス）の出力部３４2 から下流ノード７０に、セルを送信した場合には、ＩＰスイッチ制御装置５２は適当なアドレス翻訳データをもって新しいソーストラフィック管理デバイス２４N に対しプログラムし、これにより、新しい入力仮想チャネルＩＶＣNEW を介して受信されたセルが、識別され、かつ、スイッチ体を介してソーストラフィック管理デバイス２４N によりデスティネーショントラフィック管理デバイス２４2 まで通過せしめられ、そしてそこから上記セルは出力仮想チャネルＯＶＣNEW を介して下流ノード７０に出力される。したがって、検出されたフローに属するセルはもはや、再組立ておよびルーティングのために、ソーストラフィック管理デバイス２４N からＳＡＲデバイス１２まで転送されず、セル毎に「自動的に」交換装置を通して転送される。ＩＰスイッチ制御装置５２は、フローに属するセルを交換装置を通して転送するため、ソーストラフィック管理デバイス２４N とデスティネーショントラフィック管理デバイス２４2 との間で、適当な帯域幅ＢＷRES を有効に確保する。
【００８８】
検出されたフローがＩＰスイッチ制御装置をバイパスする能力によって、交換装置は、配下にあるスイッチエンジン（ｓｗｉｔｃｈ  ｅｎｇｉｎｅ）の総スループットによってのみ制限されるような速度をもって、かかるフローに属するパケットを転送することが可能となる。その上、交換装置内でＡＴＭセルをＩＰパケット内に再組立てする必要は全くないので、スループットはネットワーク全体で最適化された状態に保たれる。
【００８９】
上述の例では、入力仮想チャネルへの交換の結果、ソーストラフィック管理デバイスの変更がもたらされるが、その他のケースでは、ソーストラフィック管理デバイスがデフォルトおよび新しい入力仮想チャネルの両方について同じであり得る、ということがわかるだろう。例えば、上流ノード６０を、交換装置の単一のＵＮＩポートにリンクする物理経路が１つしかない場合等に（この場合、新しい仮想チャネルを選択するのにＶＣＩのみを変更するだけでよく、ＶＰＩは同じのままである）、同じことは、新しい出力仮想チャネルを提供するのに用いられるデスティネーショントラフィック管理デバイスにもあてはまる。デフォルト出力仮想チャネルを提供するのに用いられるものと同じトラフィック管理デバイスであっても、又そうでなくてもよいが、これは、交換装置と下流ノードとの間の物理経路の配置に依存する。
【００９０】
図１０〜１５を参照して前述した実施例においては、ソーストラフィック管理デバイスからＩＰスイッチ制御装置５２まで、ＩＰスイッチ制御装置５２によりデフォルト蓄積交換ベースでルーティングされるべきパケットを送出するために、ＳＡＲバス２６が利用される。したがって、ＩＰスイッチ制御装置をスイッチ体のポートに接続する必要はなく、かくしてスイッチ体の全てのポートはトラフィック管理デバイスに自由に接続できる状態のままである。
【００９１】
ＳＡＲバス２６はまた、フローに対し上流および下流ノードに対しアラームを出すのに必要とされるシグナリングメッセージＡ〜Ｄに属するセルを伝送するためにも使用できる（ただし、好ましい場合には、ホストバス２８を介してシグナリングメッセージをトラフィック管理デバイスまで送信することも可能である）。
以上詳しく述べた本発明の実施形態は以下のとおりである。
（付記１）ＡＴＭネットワーク内で使用するための交換装置において、  ＡＴＭセルを交換するためのスイッチ体；
ＡＴＭセルからパケットを再組立てするための再組立て手段；および、
交換装置に送信されたＡＴＭセルを受信するように接続され、また第１のデータ送達経路手段により前記スイッチ体へ接続され、そして第１のデータ送達経路手段とは分離した第２のデータ送達経路手段によって前記再組立て手段へ接続されており、さらに、再組立て手段による再組立てを必要とする１または複数の予め定められたパケットタイプに属する受信ＡＴＭセルを、それぞれの再組立てセルとして識別するように作動可能であると共に、このような識別された再組立てセル以外の受信セルを、前記スイッチ体による交換のため前記第１のデータ送達経路手段を介してスイッチ体に送信するように作動可能であり、そして前記再組立てセルを、再組立て手段によりパケットに再組立てするため、前記第２のデータ送達経路手段を介して、前記再組立て手段に送信するように作動可能であるトラフィック管理手段；
を含んでなる交換装置。
（付記２）場合に応じて、前記予め定められたタイプのパケットまたは前記予め定められた複数のタイプのうちの１つのタイプのパケットが、シグナリングメッセージを構成する付記１に記載の装置。
（付記３）交換装置の作動を制御するためのホスト手段であって、再組立て手段によって再組立てされたパケットをこの再組立て手段より受信するため前記再組立て手段に対し作動的に接続されているようなホスト手段をさらに含んでなる付記１または２に記載の装置。
（付記４）場合に応じて前記予め定められたタイプのまたは前記予め定められた複数のタイプのうちの１つのタイプのパケットが、もう１つのＡＴＭネットワークエンティティのホスト手段によって交換装置の前記ホスト手段に向けられたホスト間通信メッセージを構成している付記３に記載の装置。
（付記５）場合に応じて、前記予め定められたタイプのまたは前記予め定められた複数のタイプのうちの１つのタイプのパケットが、ＡＡＬ５メッセージを含む付記１〜４のいずれか一項に記載の装置。
（付記６）前記トラフィック管理手段にはセル識別手段を含み、このセル識別手段は、受信した各ＡＴＭセルのヘッダの仮想パス識別子および／または仮想チャネル識別子フィールドを検査し、かかる検査の結果に応じて当該セルがこのような再組立てセルとして識別されるべきか否かを決定すべく作動可能である付記１〜５のいずれか一項に記載の装置。
（付記７）前記第２のデータ送達経路手段によってまた前記トラフィック管理手段に接続されるセグメント化手段をさらに含み、このセグメント化手段は、交換装置内でローカルに生成されたパケットを、複数のＡＴＭセルへセグメント化し、前記複数のセルを、前記第２のデータ送達経路手段を介してトラフィック管理手段へ送信するように作動可能である付記１〜６のいずれか一項に記載の装置。
（付記８）前記第２のデータ送達経路手段にはそれぞれの単方向送信受信経路手段が含まれ、その受信経路手段は、トラフィック管理手段から再組立て手段まで識別された再組立てセルを送信するように機能し、その送信経路手段は、前記セグメント化手段からトラフィック管理手段まで前記複数のセルを送信するように機能する付記７に記載の装置。
（付記９）前記セグメント化手段および前記再組立て手段が、同一のセグメント化および再組立てデバイスの各一部をなす付記７または８に記載の装置。
（付記１０）前記トラフィック管理手段には、スイッチ体によって形成されたデータ転送経路を介してＡＴＭセルを交換するための前記第１のデータ送達経路手段によって前記スイッチ体にそれぞれ接続されている複数の個別トラフィック管理デバイスが含まれておりそして前記第２のデータ送達経路手段は、再組立て手段に対し、そして具備されている場合には前記セグメント化手段に対して、個別トラフィック管理デバイスを共通に接続するバス手段からなる付記１〜９のいずれか一項に記載の装置。
（付記１１）前記再組立て手段が、前記バス手段のマスターデバイスとして作動可能であり、各トラフィック管理デバイスがこのバス手段のスレーブデバイスとして作動可能であり、
前記再組立て手段には、
前記トラフィック管理デバイスのいずれかが受信したＡＴＭセルがそのような再組立てセルとして識別したか否かを決定するために、各該トラフィック管理デバイスに対してポーリングを行うポーリング手段および
前記トラフィック管理デバイスのうちの１つがそのような再組立てセルを識別したことを前記ポーリング手段が決定した場合に、そのセルを有するトラフィック管理デバイスが前記バス手段を介して再組立て手段にそれを送信するように作動可能なデータ読取り手段、
が含まれている付記１０に記載の装置。
（付記１２）前記バス手段が、Ｕｎｉｖｅｒｓａｌ−Ｔｅｓｔ−ａｎｄ−Ｏｐｅｒａｔｉｏｎｓ−ＰＨＹ−Ｉｎｔｅｒｆａｃｅ−ｆｏｒ−ＡＴＭ（ＵＴＯＰＩＡ）レベル２（ルックアライク）バス手段である付記１０または１１に記載の装置。
（付記１３）交換装置が使用中であるとき、ビットストリームを伝送するＡＴＭネットワーク伝送ラインに接続するための少なくとも１つのデータポート；および
その伝送ラインまたは各伝送ラインが伝送するビットストリームを１または複数の対応するＡＴＭセルストリームに変換して前記トラフィック管理手段まで送信するための前記トラフィック管理手段とデータポートまたは各データポートとの間に接続された物理レイヤ手段をさらに含んでなる付記１〜１２のいずれか一項に記載の装置。
（付記１４）ＡＴＭネットワーク内で使用するための交換装置において、
ＡＴＭセルを交換するためのスイッチ体、
交換装置内でローカルに生成されたパケットを複数のＡＴＭセルにセグメント化するためのセグメント化手段、および
第１のデータ送達経路手段により前記スイッチ体に接続され、またこの第１のデータ送達経路手段とは分離した第２のデータ送達経路手段によって前記セグメント化手段に接続され、しかも、スイッチ体によって交換されたセルを前記第１のデータ送達経路手段を介してスイッチ体から受信しかつ前記複数のセルを前記第２のデータ送達経路手段を介してセグメント化手段から受信し、スイッチ体から受信した交換後のセルおよびセグメント化手段から受信した前記複数のセルを含むＡＴＭセルストリームを出力するように作動するトラフィック管理手段
を含んでなる交換装置。
（付記１５）ＡＴＭ交換装置に送信されたＡＴＭセルを交換するためのスイッチ体を有し、またＡＴＭ交換装置に送信されたＡＴＭセルからパケットを再組立てするための再組立て手段をも有するＡＴＭ交換装置内で使用するためのトラフィック管理デバイスにおいて、
ＡＴＭセルを受信するためのセル受信手段、
前記セル受信手段に接続され、ＡＴＭ交換装置の前記再組立て手段による再組立てを必要とする１または複数の予め定められたパケットタイプに属するような受信セルをそれぞれの再組立てセルとして識別するように作動するセル識別手段、および
デバイスが使用中であるときに前記スイッチ体に接続するように適合されている第１のポート手段をもち、またデバイスが使用中であるときに前記再組立て手段に接続するよう適合されている、前記第１のポート手段とは分離した第２のポート手段を有し、識別された再組立てセル以外の受信セルを前記第１のポート手段に送信し、前記再組立てセルを前記第２のポート手段に送信するように作動可能である、セル出力手段
を含んでなるトラフィック管理デバイス。
（付記１６）前記セル識別手段は、受信されたＡＴＭセルの各々のヘッダにおける仮想パス識別子および／または仮想チャネル識別子フィールドを検査するようにまたこのような検査の結果に基づいて当該セルをこのような再組立てセルとして識別すべきか否かを決定するように作動可能である付記１５に記載のデバイス。
（付記１７）ＡＴＭ交換装置に送達されたＡＴＭセルを交換するためのスイッチ体を有し、またＡＴＭ交換装置によってローカルに生成されたパケットを、ＡＴＭ交換装置から出力されるべき複数のＡＴＭセルへセグメント化するためのセグメント化手段も有する該ＡＴＭ交換装置の中で使用するためのトラフィック管理デバイスにおいて、
デバイスが使用中であるとき前記スイッチ体に接続するように適合された第１のポート手段を有し、またデバイスが使用中であるとき前記セグメント化手段に接続するように適合された、前記第１のポート手段から分離した第２のポート手段をも有し、しかも、スイッチ体によって交換されたセルを前記第１のポート手段で受信し前記複数のセルを前記第２のポート手段で受信するように作動可能である、セル入力手段；および
スイッチ体から受信された交換後のセルを含みまた前記複数のセルも含むＡＴＭセルストリームを出力するためのセル出力手段
を含んでなるトラフィック管理デバイス。
（付記１８）場合に応じて、前記予め定められたタイプまたは前記複数の予め定められたタイプのうちの１つのタイプのパケットは、インターネットプロトコルパケットであり、さらに交換装置を通るパケットフローを検出すべくかかる再組立て後のインターネットプロトコルパケットを検査するための前記再組立て手段と接続されたインターネットプロトコルスイッチ制御装置手段をさらに含んでなる付記１〜１７のいずれか一項に記載の装置。
（付記１９）トラフィック管理手段は、
そのデフォルトルーティングモードで、予め定められたデフォルト入力仮想チャネルを介してＡＴＭネットワークの上流ノードからのインターネットプロトコルパケットを受信し、前記予め定められたデフォルト入力仮想チャネルに属する受信ＡＴＭセルをこのような再組立てセルとして識別し、前記インターネットプロトコルスイッチ制御装置手段が再組立てされたパケットの検査によってパケットフローを検出できるようにすべく前記再組立て手段に対し前記第２のデータ送達経路手段を介してこれらのセルを送信するように作動可能であり、
このようなパケットフローが前記インターネットプロトコルスイッチ制御装置手段によって検出されたときに、前記予め定められたデフォルト入力仮想チャネルとは異なる新しい入力仮想チャネルを介してトラフィック管理手段により検出されたパケットフローを構成する後続パケットのセルが受信されかかる再組立てセルとしてこれらのセルが識別されず前記第１のデータ送達経路手段を介してスイッチ体に直接送信されるようなカットスルー交換モードにて作動するように、交換可能である付記１８に記載の装置。
（付記２０）パケットフローに属するものとして前記インターネットプロトコルスイッチ制御装置手段によって検出されない再組立てパケットが、複数のセルにセグメント化され、これらのセルは前記スイッチ体へ送信するためにトラフィック管理手段に戻るように転送される付記１８または１９に記載の装置。
（付記２１）前記スイッチ体を通過した後、前記複数のセルが、予め定められたデフォルト出力仮想チャネルを介して、ＡＴＭネットワークの下流ノードに出力される付記２０に記載の装置。
（付記２２）前記カットスルー交換モードでのトラフィック管理手段の作動中に、検出されたパケットフローを構成する前記後続パケットのセルが、前記予め定められたデフォルト出力仮想チャネルとは異なる新しい出力仮想チャネルを介して、トラフィック管理手段によって出力される付記２１に記載の装置。
（付記２３）かかるパケットフローを前記インターネットプロトコルスイッチ制御装置手段が検出したときに、トラフィック管理手段は、前記スイッチ体を介して検出されたパケットフローのセルを交換するための帯域幅を確保することになる付記１９〜２２のいずれか一項に記載の装置。
（付記２４）ＡＴＭネットワーク内で使用するための交換装置において、
ＡＴＭセルを交換するためのスイッチ体、
交換装置を通るインターネットプロトコルフローを検出するためのインターネットプロトコルスイッチ制御装置手段、および
交換装置に送達されたＡＴＭセルを受信するように接続され、また第１のデータ送達経路手段により前記スイッチ体にまた第１のデータ送達経路手段とは分離した第２のデータ送達経路手段により前記インターネットプロトコルスイッチ制御装置手段に接続され、しかもそのデフォルトルーティグモードにおいてかかるフローに属するものとして検出されなかったパケットを構成するような受信ＡＴＭセルをデフォルトルーティングセルとして識別し、これらのセルを前記第２のデータ送達経路手段を介して前記インターネットプロトコルスイッチ制御装置手段に送信するように作動可能であるトラフィック管理手段、
を含んでなり、ここに
トラフィック管理手段はまた、かかるフローに属するパケットを構成するような受信されたＡＴＭセルが前記第１のデータ送達経路手段を介してスイッチ体に直接送信されるカットスルー交換モードでも作動可能である
交換装置。
（付記２５）トラフィック管理手段は、
前記デフォルトルーティングモードにおいてデフォルト入力仮想チャネルを介してパケットを構成するセルを受信するように機能し、
それらのパケットがかかるフローを構成することをインターネットプロトコルスイッチ制御装置手段が検出した時点でデフォルトルーティングモードからカットスルー交換モードへと切換えることができ、
前記カットスルーモードにおいて、トラフィック管理手段は、前記デフォルト入力仮想チャネルとは異なるもう１つの入力仮想チャネルを介して検出されたフローの後続パケットを構成するセルを受信するように機能する付記２４に記載の装置。
（付記２６）ＡＴＭ交換装置に送達されたＡＴＭセルを交換するためのスイッチ体を有し、また交換装置を通るインターネットプロトコルフローを検出するためのインターネットプロトコルスイッチ制御装置手段をも有するＡＴＭ交換装置内で使用するためのトラフィック管理デバイスにおいて、
ＡＴＭセルを受信するためのセル受信手段、
デバイスが使用中であるときに前記スイッチ体に接続するように適合されている第１のポート手段を有し、またデバイスが使用中であるときに前記インターネットプロトコルスイッチ制御装置手段に接続するよう適合されている、前記第１のポート手段とは分離した第２のポート手段を有するセル出力手段；および
前記セル受信手段に接続されるセル識別手段であって、
そのデフォルトルーティングモードにおいて、かかるフローに属するものとして検出されなかったパケットを構成するような受信ＡＴＭセルをデフォルトルーティングセルとして識別し、そして前記インターネットプロトコルスイッチ制御装置手段に対する転送のため前記第２のポート手段にこれらのセルを送信するように作動可能であり、
またかかるフローに属するものとして検出されたパケットを構成するような受信ＡＴＭセルを、スイッチ体への直接転送のために第１のポート手段まで送信するカットスルー交換モードでも作動可能である、セル識別手段
を含んでなるトラフィック管理デバイス。
（付記２７）ＡＴＭセルを交換するためのスイッチ体、ＡＴＭセルからパケットを再組立てするための再組立て手段およびＡＴＭネットワーク交換装置に送信されたＡＴＭセルを受信するためのトラフィック管理手段を含む、該ＡＴＭネットワーク交換装置内で使用するための交換方法において、
再組立て手段による再組立てを必要とする１または複数の予め定められたパケットタイプに属するような受信ＡＴＭセルが、それぞれの再組立てセルとしてトラフィック管理手段によって識別され、
かかる識別された再組立てセル以外の受信セルが、トラフィック管理手段によって第１のデータ送達経路手段を介しスイッチ体に送信され、スイッチ体により交換され、
識別された再組立てセルは、第１のデータ送達経路手段とは分離した第２のデータ送達経路手段を介して、トラフィック管理手段から再組立て手段まで送信され、再組立て手段によりパケットに再組立てされる
交換方法。
（付記２８）ＡＴＭセルを交換するためのスイッチ体、ＡＴＭネットワーク交換装置内でローカルに生成されたパケットを複数のＡＴＭセルにセグメント化するためのセグメント化手段および、交換されたセルを出力するためのトラフィック管理手段を含む該ＡＴＭネットワーク交換装置内で使用される交換方法において、
スイッチ体によって交換されたセルが、第１のデータ送達経路手段を介してスイッチ体からトラフィック管理手段によって受信され、
セグメント化手段によって生成された複数のセルが、前記第１のデータ送達経路手段とは分離した第２のデータ送達経路手段を介して、トラフィック管理手段によって受信され、
スイッチ体から受信された交換後のセルおよびセグメント化手段から受信された前記複数のセルを含むＡＴＭセルストリームが、トラフィック管理手段によって出力される
交換方法。
（付記２９）ＡＴＭセルを交換するためのスイッチ体、インターネットプロトコルネットワーク交換装置を通るインターネットプロトコルフローを検出するためのインターネットプロトコルスイッチ制御装置手段および該インターネットプロトコルネットワーク交換装置に送信されたＡＴＭセルを受信するためのトラフィック管理手段を含む該インターネットプロトコルネットワーク交換装置内で使用される交換方法において、
かかるフローに属するものとして検出されたパケットを構成するような受信ＡＴＭセルが、第１のデータ送達経路手段を介してトラフィック管理手段からスイッチ体まで転送され、
かかるフローに属するものとして検出されなかったパケットを構成するような受信ＡＴＭセルが、トラフィック管理手段から、前記第１のデータ送達経路手段とは分離した第２のデータ送達経路手段を介してインターネットプロトコルスイッチ制御装置手段まで転送される
交換方法。
【図面の簡単な説明】
【図１】ＡＴＭネットワーク内で使用するために以前に考慮された交換装置の各部分を示す図である。
【図２】本発明の第１の実施例によるＡＴＭ交換装置の各部分を示す図である。
【図３】図２の装置を使用することができる広帯域総合サービスデジタル通信網（Ｂ−ＩＳＤＮ）の概略を示す図である。
【図４】図３のネットワークで使用される通信プロトコルを説明するために使用するレイヤモデルを示す図である。
【図５】図４のモデルに示されているＡＴＭアダプテーションレイヤ（ＡＡＬ）を図４よりもさらに詳細に示す図である。
【図６】ＡＡＬの１つのタイプによるセグメント化および再組立てプロセスを説明するために使用する概略図である。
【図７】図６のセグメント化および再組立てプロセスで利用されるデータエンティティの１つを図６よりもさらに詳細に示す図である。
【図８】図６のセグメント化および再組立てプロセスで利用されるＡＴＭセルのフォーマットを示す図である。
【図９】装置の動作を説明するために使用する、図２の交換装置内で利用されるトラフィック管理デバイスの概略を示す図である。
【図１０】本発明の第２の実施例による交換装置を含むＡＴＭネットワークの各部分を示すブロックダイヤグラムである。
【図１１】本発明の第２の実施例によるＡＴＭ交換装置の各部分を示す図である。
【図１２】図１１の装置の動作を説明するために使用する模式図（その１）である。
【図１３】図１１の装置の動作を説明するために使用する模式図（その２）である。
【図１４】図１１の装置の動作を説明するために使用する模式図（その３）である。
【図１５】図１１の装置の動作を説明するために使用する模式図（その４）である。
【符号の説明】
２1 〜２N-1 …物理デバイス
４1 〜４N-1 ，２４1 〜２４N …トラフィック管理デバイス
８…スイッチ体
１０…データ送達経路
１２…ＳＡＲ（セグメント化および再組立て）デバイス
１４…メモリ
１６…ホストプロセッサ
５２…ＩＰスイッチ制御装置
６０…上流ノード
７０…下流ノード
１００…Ｂ−ＩＳＤＮネットワーク
１０２…顧客宅内ノード
１０６…遠隔マルチプレクサノード
１１２…リンク
１１４…ローカル交換ノード
１１６…タンデム交換ノード
３２２…セル受信回路
３２４…セル識別回路
３２６…セル入力回路
【図１】
0003920436.tif 000002
【図２】
0003920436.tif 000003
【図３】
0003920436.tif 000004
【図４】
0003920436.tif 000005
【図５】
0003920436.tif 000006
【図６】
0003920436.tif 000007
【図７】
0003920436.tif 000008
【図８】
0003920436.tif 000009
【図９】
0003920436.tif 000010
【図１０】
0003920436.tif 000011
【図１１】
0003920436.tif 000012
【図１２】
0003920436.tif 000013
【図１３】
0003920436.tif 000014
【図１４】
0003920436.tif 000015
【図１５】
0003920436.tif 000016